(57)【要約】【課題】　フィルムストリップの中央領域（例えばイメージ領域）に限られた符号を検出する、進んだ方法を提供する。【解決手段】　写真撮影方法において、取込済のイメージの組が部分シェーディング符号を有する符号化された１つ以上の取込済のイメージを含むことについての決定がなされる。部分シェーディングは、部分シャドーイング又は部分フィルタ処理、又は両者の組み合わせである。符号は、所定のエッジパターンを有し、イメージにおける所定のサブエリア内に配置される。符号化された取込済のイメージは、デジタル化されて、複数の画素を有するデジタルイメージが提供される。エッジパターンの複数の画素テンプレート及びデジタルイメージのサブエリア内の画素が巻き込まれて、複数のテンプレート配置メトリックが提供される。各画素テンプレートは前記サブエリア内にそれぞれ異なるように配置される。【選択図】　　　図１
2004135349.tif 000002
【特許請求の範囲】
【請求項１】
　写真方法であって、
　取込済のイメージの組が部分シェーディング符号を有する符号化された取込済のイメージを含むことを決定し、前記部分シェーディング符号は所定のエッジパターンを有し、前記部分シェーディング符号は前記イメージにおける所定のサブエリア内に配置され、
　前記の符号化された取込済のイメージをデジタル化して、複数の画素を有するデジタルイメージを提供し、
　複数のテンプレート配置メトリックを提供するために前記エッジパターンの複数の画素テンプレート及び前記デジタルイメージの前記サブエリア内の前記画素を畳込み、各前記画素テンプレートは同一の形状を有し、各前記画素テンプレートは前記サブエリア内にそれぞれ異なるように配置され、
　前記テンプレート配置メトリックの最高値と前記エッジパターンにおける所定の閾値テンプレート配置メトリック値とを比較する、
ステップ有することを特徴とする写真方法。
【請求項２】
　写真方法であって、
　取込済のイメージの組が所定の部分シェーディング符号の組の任意の１つを有する１つ以上のイメージを含むことを決定し、各前記部分シェーディング符号は所定のエッジパターンを有し、前記部分シェーディング符号は前記イメージにおける所定のサブエリア内に配置され、
　前記の取込済のイメージをデジタル化して、複数の画素を有するデジタルイメージを提供し、
　複数のテンプレート配置メトリックを提供するために第１の前記部分シェーディング符号の前記エッジパターンの複数の画素テンプレート及び第１の前記デジタルイメージの前記サブエリア内の前記画素を畳込んで、各前記画素テンプレートは同一の形状を有し、各前記画素テンプレートは前記サブエリア内にそれぞれ異なるように配置され、
　前記テンプレート配置メトリックの最高値と前記エッジパターンにおける所定の閾値テンプレート配置メトリック値とを比較する、
ステップ有することを特徴とする写真方法。
【請求項３】
　フォトフィニッシングユニットであって、
　一連のデジタルイメージを提供するためにフィルムユニット群のフィルムストリップ上の一連の取込済のイメージをデジタル化するデジタイザと、
　その電子イメージを取得するデジタル実行エンジンであって、前記デジタル実行エンジンは、シェーディングパターンが付けられた光像に対応した前記デジタルイメージを、シェーディングスクリーンの第２の位置に対して予め割り当てられた補正に応じて、自動的にデジタル処理することを含むデジタル実行エンジンと、
を有することを特徴とするフォトフィニッシングユニット。
【請求項４】
　写真システムであって、
　複数のカメラと、その各々が、
　　本体と、
　　露出開口を取り巻く露出フレームを有するフィルムホルダと、
　　前記本体に装着され、光軸を有し、場面のイメージを前記露出開口を通じて伝達する撮影レンズ系と、
　　使用位置にて、前記露出フレームを部分的にシェーディングするシェーディングスクリーンと、
　　前記フィルムホルダ内に着脱可能に配置され、複数の潜像を有し、前記潜像の少なくとも１つが前記シェーディングに応じた符号パターンを有するフィルムユニットとを含み、
　フォトフィニッシングユニットと、それが、
　　保存用のイメージから一連のデジタルイメージを提供し且つその電子イメージを送出するために前記フィルムストリップをデジタル化するデジタイザと、
　　前記電子イメージを受け、前記符号パターンの存在を決定し且つ前記符号パターンに対して予め割り当てられた補正に応じて前記符号パターンを有する前記光像を変更するために前記デジタルイメージを自動的にデジタル処理するデジタル実行エンジンとを含み、
を有することを特徴とする写真システム。
【発明の詳細な説明】
【技術分野】
【０００１】
　本発明は、写真撮影、写真機材及び方法に関し、特に、符号フィルタ処理を検出する方法に関する。
【背景技術】
【０００２】
　写真フィルムストリップ上の光学的記録による符号は、プリント及び他の機能を制御するために、長く用いられてきた。特許文献１では、光学的符号が記述されており、写真の被写体からの反射光、又はカメラの光源からの直接の光を、光学的符号を記録するための光を提供するのに用いることは既知である旨が示されている。また、この特許では、符号を書き込むのに周辺の照明を用いることは、ある種の照明状態では記録された情報を識別するのが難しくなるという短所となるということについても言及されている。
【０００３】
　使い切りカメラの組立前に、フィルム上に符号を予め記録しておくことが知られている。また、写真撮影時のカメラの状態に基づいて、選択されたイメージフレームのために、符号を記録することも知られている。特許文献２は、これら双方のやり方を組み合わせている。組立の前に、第１の符号がフィルム上に予め記録され、選択されたフィルムフレーム上に切換スイッチの位置に基づいて第２の符号が追加される。フィルムユニット内の全イメージに適用する符号は、繰り返されるのではなく、全てのフレームに適用するように記録されてもよい。特許文献３には、広範囲な情報をフィルムユニットの外面上に、目に見えるバーコードとして記録することが開示されている。
【０００４】
　符号は、様々な位置に配置されうる。特許文献２では、フィルムフレームに隣接したフィルムマージンに、光学符号を配置することが開示されている。特許文献４には、イメージに対して横方向に隣接させて、それぞれのフィルムフレームの内部又は該フィルムフレームの直近に、光学符号を配置することが開示されている。
【０００５】
　１９９２年１１月１７日公開の特許文献５では、擬似パノラマ及び擬似望遠仕上げのイメージ形式のためのコード信号プレート対と連携して動作する、スライド可能なファインダマスク対を有する使い切りカメラが開示されている。コード信号プレートは、対応したファインダマスクがファインダ内の所定の位置にあるときに、露出開口の一部をマスクする。コード信号プレートの一方は、１つのスロットを有するものとして図示されている。他方は、２つのスロットを有するものとして図示されている。（イメージ対象物は、スロットを通じて可視である。）最終イメージでは、コード信号プレートにより形成されたパターンが、トリミングされている。
【０００６】
　また、フィルムストリップのイメージ領域内に、他の情報を記録することも知られている。特許文献６及び特許文献７では、マスク上に、フィルムパス内に配置され、写真撮影のイメージフレーム上に記録される印を記録することが開示されている。特許文献８では、カメラ内のフラッシュユニットからの光を利用する同様の機構が開示されている。１９９８年６月１９日公開の特許文献９では、マスクを通じて光を照射して、フィルムストリップのイメージ領域上に、画像やテキスト等の情報を転写する専用の内部光源を有するカメラが開示されている。特許文献１０では、各イメージに別々の情報を付加するカメラが開示されている。
【０００７】
　イメージの質を向上させるために、カメラにおいてフィルタを用いることは周知である。特許文献１１では、フィルムのカラー感度を調和させるために、使い切りカメラにフィルタを用いることが開示されている。１９９０年６月１８日公開の特許文献１２では、着脱可能なフォトクロミックフィルタ（ｐｈｏｔｏｃｈｒｏｍｉｃ　ｆｉｌｔｅｒ）を有する使い切りカメラが開示されている。１９９１年４月１９日公開の特許文献１３では、タングステン光用フィルムを屋外で使用できるように切換可能なカラー補正フィルタを有する使い切りカメラが開示されている。１９８８年１月１６日公開の特許文献１４では、フォトクロミックフィルタを有しており、フィルタの状態判別用に非フィルタ処理参照パッチを記録する使い切りカメラが開示されている。
【０００８】
　１つ以上のフィルタを撮影レンズ系に対して調整するための様々な機構が知られている。特許文献１５では、スライド可能な特殊効果フィルタを有する使い捨てカメラが、教示されている。１９９９年９月７日公開の特許文献１６では、スライド可能なフィルタを有する他のカメラが開示されている。２０００年８月２９日公開の特許文献１７では、ロータリーフィルタホイールを有するカメラが開示されている。
【０００９】
　２０００年５月１６日公開の特許文献１８、及び２００１年１月３０日公開の特許文献１９では、光軸からずれたフィルタホイールを有するカメラが開示されている。特許文献２０では、写真フィルムとともにローラからローラへと移動する透明フィルムを有するカメラが開示されている。
【００１０】
　デジタルフォトフィニッシングでは、フィルムストリップ上の処理済イメージが走査され、デジタル処理されてプリントされる。ある種の高速設備では、フィルムストリップの中央部分が、高解像度で連続して走査される。マージンは、走査されないか、あるいは、別のスキャナを用いて低解像度で走査される。これでは、フィルムストリップのマージン上の光学符号を識別することは、どのようにしても煩雑になってしまう。フィルムストリップの中央部分に配置された光学符号は、イメージ領域、又はフレーム間の空間を除去してしまう。前者の場合、イメージの質が直接的に劣化してしまう。後者の場合、フィルムフレーム位置の識別力を低下させることがある；例えば、３５ｍｍのようなフィルムタイプには、パーフォレーションで規定されたフィルムフレームがない。イメージ領域の欠落に対する解決法の１つが、特許文献２１により提供されている。この特許では、フィルムフレーム上に光学符号を配置し、後に符号をデジタルで除去して、イメージにおける欠落領域を修復することが開示されている。この手法は、煩雑であり、いくらかのイメージ情報は失われてしまう。欠落した情報は、周囲の内容を複写することにより、自動的にパッチされる。ある種の場面では、結果としてのイメージは、元の場面に比べて、気になるほど劣化してしまう。例えば、人物が被写体であったり、複雑な背景が符号と重複したりする場合には、望ましくないほどの情報の欠落が見られる。
【００１１】
　あるイメージから光源の色を検出してその光源の色を補正するためのいくつもの方法が知られている。例として、特許文献２２、特許文献２３、及び特許文献２４がある。
【００１２】
【特許文献１】米国特許第５７４０４７９号
【特許文献２】米国特許第６３３２０５９号
【特許文献３】米国特許第５７６１５５８号
【特許文献４】米国特許第５５８７７５２号
【特許文献５】特開平４−３２８５３７号
【特許文献６】米国特許第５１８９４６７号
【特許文献７】米国特許第５１２６７７３号
【特許文献８】米国特許第５４８６８８５号
【特許文献９】特願平１０−１６１２２５号
【特許文献１０】米国特許第２２１０６１０号
【特許文献１１】特許第３１０９７６５
【特許文献１２】特開平２−７８９３５号
【特許文献１３】特開平３−９４２４１号
【特許文献１４】特開昭６３−６４２８号
【特許文献１５】米国特許第６１７３１２７号
【特許文献１６】特開平１１−２４２２５７号
【特許文献１７】特開２０００−２３５２１１号
【特許文献１８】特開２０００−１６２６９０号
【特許文献１９】特開２００１−２７７７３号
【特許文献２０】米国特許第５６９６９９６号
【特許文献２１】米国特許第６３１１０１８号
【特許文献２２】米国特許第４８４７６８０号
【特許文献２３】米国特許第４９１８５１９号
【特許文献２４】米国特許第５６５９３５７号
【発明の開示】
【発明が解決しようとする課題】
【００１３】
　従って、フィルムストリップの中央領域（例えばイメージ領域）に限られた符号を検出する、進んだ方法を、提供することが望ましい。
【課題を解決するための手段】
【００１４】
　本発明は、特許請求の範囲により規定される。本発明は、広義の側面では、取込済のイメージの組が、部分シェーディング符号を有する符号化された１つ以上の取込済のイメージを含むことについての決定がなされる写真方法を提供する。部分シェーディングは、部分シャドーイング（ｓｈａｄｏｗｉｎｇ）又は部分フィルタ処理、又は両者の組み合わせである。符号は、所定のエッジパターンを有し、イメージにおける所定のサブエリア内に配置される。符号化された取込済のイメージは、デジタル化されて、複数の画素を有するデジタルイメージが提供される。エッジパターンの複数の画素テンプレート、及びデジタルイメージのサブエリア内の画素が畳込まれて、複数のテンプレート配置メトリックが提供される。各画素テンプレートは同一形状である。各画素テンプレートは前記サブエリア内にそれぞれ異なるように配置される。テンプレート配置メトリックの最高値と、エッジパターンにおける所定の閾値テンプレート配置メトリック値とが比較される。前記テンプレート配置メトリックの最高値が、閾値テンプレート配置メトリック値と一致した場合、デジタルイメージは、部分シェーディング符号に対して予め割り当てられたデジタル補正でデジタル補正される。
【発明の効果】
【００１５】
　所定のフィルタの組における１つを用いてイメージがフィルタ処理されたことを検出する進歩した方法を提供することは、本発明の有利な効果である。
【発明を実施するための最良の形態】
【００１６】
　本発明の実施形態についての以下の説明を、添付の図面と組み合わせて参照することにより、本発明の上記及び他の特徴及び目的、並びにそれらを達成する様式が、より明らかになるとともに、本発明自体がよりよく理解されるであろう。
【００１７】
　本発明及びシステムでは、特定のフィルタを有するカメラにて、場面のイメージが取り込まれる。このカメラは、撮影される全ての写真又は選択されたもののみについてフィルタをかける。このフィルタは、特定のデジタルイメージ補正に対応している。このことは、カメラに表示されているか、あるいは別の方法でユーザに通知される。フィルタ処理を有する少なくともいくつかを含んだ取り込まれたイメージは、格納されてフォトフィニッシング（ｐｈｏｔｏｆｉｎｉ−ｓｈｉｎｇ）用の媒体ユニット内に転送される。媒体ユニットは、フォトフィニッシングの際に、所定のフィルタに対応したデジタル補正を適用することを含んだデジタルイメージ処理を必要とするものと認識される。デジタルイメージ処理が適用され、使用されている特定のフィルタが、フィルタ処理されたイメージの外観から識別される。特定のフィルタに対応したデジタル補正が判別されて、フィルタ処理されたイメージに適用される。フィルタ処理されていないイメージは、通常のデジタル処理にかけられる。結果としての最終イメージは、プリンタにより提供されるか、あるいは、他のある種の方法で提供される。
【００１８】
　ここで「媒体ユニット」なる用語は、イメージデータが存在する媒体、又はイメージデータを、媒体の変更を伴うか又はそれなしに、保存用に格納しておく媒体のことを指している。「媒体ユニット」には、保存用媒体、及びその媒体の使用をサポートする物理的に関連した構造が含まれている。フィルムタイプの媒体ユニットでは、記録媒体は写真フィルムストリップであり、イメージは潜像として取り込まれる。フィルムタイプのフィルムユニットのホルダ又は支持体には、フィルムストリップが巻き取られているスプール及びフィルムストリップ及びスプールを封入しているキャニスタが含まれている。デジタルフィルムユニットでは、イメージは、メモリカードやフロッピーディスク、又は他の磁気、電子、若しくは他の記憶装置内に、デジタルの形態で格納される。媒体ユニットは、このようなグループを複数有している記憶装置上のイメージのグループに対応していてもよい。保存用の媒体ユニットとともに用いられるカメラは、再使用可能又は使い切りである。
【００１９】
　「使い切りカメラ」なる用語及び他の同様の用語は、ここでは、装填済の形態で消費者に提供され、大掛りなカメラの分解、又は部品の交換、又は特殊工具の使用等なしには、消費者には再装填不可能なカメラを指している。現在では、使い切りフィルムカメラは、広く入手可能である。デジタル使い切りカメラは、現在のところ、用途が限られている。ここで本発明は、一般に、使い切り写真フィルムカメラの観点で考察される。
【００２０】
　図１の実線部分を参照すると、場面のイメージ１０が、保存用の取込媒体及び保存用の取込媒体への光路に配置された符号フィルタ１６とを有するカメラ１２を用いて取り込まれている。（図１では、保存用の媒体は、フィルムユニット１４内のカラー写真フィルムである。）光像１０を取り込んで得られた保存用のイメージはフィルタ処理、すなわち取込中になされるフィルタ処理にかけられる。図１では、保存用のイメージは、カラーフィルム上の潜像１８であり、フィルタ処理は、フィルムに到達する光のスペクトルを変換する。（これは、図１では、潜像上の「フィルタ処理済カラー」というテキストで示されている。）「カラーキャスト」なる用語は、ここでは、イメージ上又はイメージの一部上でのこの変換後のスペクトルの効果を指している。カラーキャストは、システムの制限内で、フィルタ１６のカラーを補完するものである。
【００２１】
　写真撮影完了後、フィルムユニット１４は、フォトフィニッシングされる。検出器２０は、フィルムユニット上のインジケータ（ｉｎｄｉｃａｔｏｒ）２２（図１では「Ｘ」として示す）を読み取り、プログラム可能なコンピュータ等が組み込まれたデジタル実行エンジン２３（図４に示す）へ検出信号を送信するものであり、プログラム可能なコンピュータ等を含む。検出信号は、インジケータ２２を特定している。インジケータは、検出しやすい様式で提供されている。使用される検出器２０及びインジケータ２２の種類は重要ではない。
【００２２】
　インジケータは、機械読取可能な形式若しくは人間が読取可能な印、又はそれらの双方にて提供されうる。インジケータは、キャニスタ、ホルダ又はフィルムストリップ上というように、フィルムユニット１４内の様々な位置に配置されうる。例えば、インジケータは、ホルダ又はフィルムストリップ上の光学式バーコードであってもよく、検出器はバーコードリーダであってもよい。同様に、インジケータは、フィルムストリップの磁気層上に磁気的に記録されてもよく、フィルムストリップのマージン上に光学的に記録されてもよく、半導体メモリ（無線周波数又は直接的な接触でアクセス可能）内に記録されてもよく、フィルムストリップ又はフィルムストリップの１つ以上の層に形成されたノッチ等の物理的な切れ目であってもよい。通常の処理の最初の段階で、フィルムストリップがキャニスタから分離されるため、３５ｍｍ（１３５型フィルム）で、インジケータのために便利なのは、フィルムストリップ上の配置である。
【００２３】
　インジケータは、媒体ユニット内の１つ以上の保存用のイメージがフィルタ符号化される情報を担うだけでよい。また、必要であれば、インジケータは、追加の情報を担うこともできる。このような追加の情報の例として、識別番号、フィルムタイプ及び利用可能なイメージ補正の種類が挙げられる。
【００２４】
　インジケータは、フィルムユニット内に、一度又は繰り返して記録される。例えば、インジケータは、各フィルムフレーム又はフィルムフレームのグループと物理的に関連づけられて記録されてもよい。繰り返されるインジケータの各々は、同様であるか、あるいは、保存イメージが特定のデジタル補正を受けることになる指定には関係のない様式において様々であってもよい。
【００２５】
　フィルムユニット１４は、化学処理機２４内で化学処理にかけられ、潜像１８をフィルムイメージ２６として可視化させる。化学処理の種類は、重要ではなく、フィルムユニット１４内に含まれた物質を利用している「インスタント」処理等を含むものである。可視イメージ２６は、フィルタ処理されたまま、すなわち取込時のフィルタ処理の影響を受けている。そして、可視イメージ２６が走査される（２８）。結果としての電子イメージ３０は、可視イメージ２６に対応しており、フィルタ処理されたままになっている。
【００２６】
　「フィルタ」なる用語及び同様の用語は、ここでは、通常の意味で用いられており、光路の１つ以上の部分を通る光の伝達を遮断する不透明板を含んではいない。フィルタは、光学フィルタであってもデジタルフィルタであってもよい。従って、「フィルタ効果」なる用語は、「対応するフィルタ効果」又は「対応するデジタルフィルタ効果」と称されることもあるものを含んでいる。ここに示される本実施形態においてフィルタには色があり、その検出可能な特徴は、カラー特性の変化である。非カラー情報は一定に保たれているのでフィルタ処理中に失われることがないため、これは、現在のところ好適である。一方、他の特徴の変化を伴うフィルタが、使用可能である。例えば、スターフィルタ（とりたてて図示されてはいない）が使用可能である。
【００２７】
　電子イメージ３０は、デジタル処理され（３２）、そこで、デジタルイメージは、フィルムイメージのデジタル現像中に適用されるエッジ強調及び出力装置に対応させたキャリブレーションといった、通常の（「再現（ｒｅｐｒｅｓｅｎｔａｔｉｏｎａｌ）」）デジタル処理にかけられる。
【００２８】
　一般に、写真イメージは、ここでは、撮影された被写体の写実的なイメージとして、潜像、現像されたイメージ、及び電子イメージと同様の情報内容を有するものとして取り扱われる。また、「再現」なる用語及び同様の用語は、ここでは、このような写実的なイメージ及びこのようなイメージを作成するのに用いられる手順を指している。なお、ここでは、説明の都合上のものとして与えられた簡略化がなされており、イメージは当業者に周知の様式で処理を通じて様々なものであることが理解されるであろう。例えば、イメージは、画像システム及び媒体による制約を受ける。フィルムイメージは、ゲインサイズ等の制約を受ける。デジタルイメージは、必ず画素に分解され、通常、周囲の画素から部分的に外挿されたカラー値を有する。また、デジタルイメージは、取込及び格納の間に、例えば、センサの欠陥により劣化した画素用に値を外挿すること等の強調補正処理にかけられる。フィルム上の潜像は、処理の化学的及び物理的影響を受ける。イメージは、そのイメージを見るのには補正が必要となる非写実的な形式で格納されることが多い。例えば、写真プリントフィルムは、イメージをネガで保存する。デジタルイメージは、表示又はプリントされねばならず、その他の補正（解読又は特定の表示装置用の補正等）が必要になることもある。また、取り込まれるイメージは、取込時にユーザによる慎重な補正にかけられてもよい。例えば、イメージは、符号フィルタに追加された第２のフィルタを用いることにより、補正されてもよい。
【００２９】
　デジタル実行エンジン２３は、検出信号に応答して、参照テーブル（とりたてて図示されてはいない）にアクセスしてもよい。参照テーブルでは、所定のデジタル補正が、電子イメージをそれぞれの符号フィルタ１６によりフィルタ処理されたものとして識別する検出可能な特徴と対応している。デジタル実行エンジン２３は、電子イメージ３０に検出可能な特徴があるかどうか評価する。検出可能な特徴を検出すると、対応したデジタル補正が、電子イメージに適用される。図１では、デジタル補正は、カラー電子イメージ３０をモノクログレースケール補正イメージ３４へと変換するものである（図１に「フィルタ処理済グレースケール」と示される）。
【００３０】
　識別子及び対応する検出信号により、フィルムユニットの保存イメージに符号フィルタ処理がなされているかどうかが識別され、このことを考慮してフォトフィニッシングがなされる。識別子は、特定のデジタル補正又は補正のグループを識別するものであってもよく、そうでないこともある。特定の補正が識別されたとしても、検出信号は、特定のデジタル補正が特定の電子イメージ又はイメージのグループに適用されるかどうかを判別するのに用いられるわけではない。都合のよい識別子として、ＤＸコード等のカートリッジＩＤがあり、フィルムストリップ及びフィルムキャニスタの一方又は双方上に記録されている。例えば、ＤＸコード又は他のカートリッジＩＤは、フィルムタイプの指定中に符号フィルタ処理が存在していることを示すことができる。ＤＸ又は他の識別子は、従来技術に開示された任意の様式で、フィルムストリップ上に設けられうる。例えば、この識別子は、イメージエリアに配置されて、米国特許第６３１１０１８号に開示されているように取り扱われてもよい。
【００３１】
　デジタル補正の例として、白黒及びセピア等のモノクロ、ズーム及びトリミング、所定のアスペクト比への変更、意図的な歪曲、コミック本の絵のような均質な色付け、ソフトフォーカス効果、コントラスト強調又は低減、他の媒体へと出力するためのイメージサイズの変更、所定の費用を用いたフォトモンタージュが、挙げられる。デジタル補正は、電子イメージに特定のメタデータ（非画素情報）を追加することに限定されうる。これは、ネットワークを通じて所定のアドレスへと配信すること等、下流の実行工程を提供するのに用いられうる。デジタル補正は、実行のためにオペレータの関与が必要であってもよい。例えば、特定のイメージとともに組み込まれたメタデータは、特定の最終イメージについて、オペレータが販促用の物品を提供することを要求することができる。
【００３２】
　図２に、図１の方法による非フィルタ処理カラーイメージ用の処理段階を示す。潜像１８ａ、並びに対応する可視イメージ２６ａ及び電子イメージ３０ａには、フィルタ符号の検出可能な特徴がないので、最終的にデジタル処理されたイメージ３６は、後続のデジタル処理にて補正されないままとなる。（図２にて、「非フィルタ処理カラー」なるテキストで示される。）図３に、他のフィルタ１６及び対応する他の補正が用いられる方法における補正を示す。イメージが取り込まれ、潜像１８ｂから可視イメージ（顕像）２６ｂへと化学処理され、可視イメージが走査されて、電子イメージ３０ｂが得られる。ここまでのところ、それぞれのイメージは、フィルタ処理された状態でカラーのままである。（「フィルタ処理済カラー」なるテキストで示される。）そのフィルタ処理が検出され、補正が加えられる。カラーイメージはカラーのままであるが、補正された最終イメージ３４ａは、擬似パノラマ形式へと変換されており、フィルタ処理の検出可能な特徴は除去されている。（「非フィルタ処理カラーパノラマ形式」なるテキストで示される。）実用上の制限内で、フィルタ処理の検出可能な特徴を除去することにより、最終イメージは非フィルタ処理状態へと復元される。
【００３３】
　フォトフィニッシングユニット３８は、フィルムストリップ４０における連続したフィルムフレーム内に記録された保存用イメージから、プリント又は他の最終イメージを作成する。ここでは、フォトフィニッシングユニット３８は、一般に、化学処理機２４及びデジタル実行エンジン２３の双方が組み込まれたデジタルプリンタとして説明される。デジタルププリンタの特徴は一般的に知られているので、以下の説明は、特に、開示される実施形態の一部を形成するか、あるいは、開示される実施形態と直接的に関連するものにのみ向けられている。なお、他の要素は、当業者に既知の種々の形態をとってもよいことが、理解されるであろう。また、最終イメージは、記憶媒体上のデジタルイメージ、コンパクトディスク、又はネットワークを通じてコンピュータのメモリユニットへと送信されるデジタルイメージ等の他の形態をとりうる。デジタル実行エンジン２３としては、このような最終イメージを電子イメージから作成する機器が含まれる。デジタル実行エンジンは、１９９８年６月１６日発行の米国特許第５７６７９４５号に開示されたデジタルプリンタの一部であってもよい。
【００３４】
　図４に、化学処理機２４及びデジタル実行エンジン２３を有し、フィルタ符号を有する処理済のフィルムストリップにおける一連のフィルムフレーム内に記録されたイメージのそれぞれのプリントを作成するフォトフィニッシングユニット３８を示す。フィルムユニット１４は、フォトフィニッシングユニット３８に達するまでは、ソートされない。フィルムユニット１４は、使い切りカメラからのものである。２台のカメラ１２がフィルタ符号を提供する。一方のカメラ１２ａは、人間が読取可能な指定４２“ＢＷ／Ｃ（白黒／カラーを指定）”を有する。他方のカメラ１２ｂは、指定４２“Ｔ／Ｐ（望遠／擬似パノラマを指定）”を有する。第３のカメラ１３は、フィルタ符号を提供せず、指定も有さない。カメラ１２ａ，１２ｂからのフィルムユニット１４は、インジケータを有する（図４では、“Ｘ”で表される）。
【００３５】
　図８では、使い切りカメラ１２は、機械読取可能なバーコード４４と組み合わせられた人間が読取可能な指定４２“ＢＷ／Ｃ”を有する。カメラ内のフィルムカートリッジ（図８にても示される）は、同じ指定及びバーコードを繰り返してもよい。その指定は、ユーザに、フィルタ符号可能なデジタル補正の種類を通知する。バーコードは、同じ情報を担っていてもよい。また、フィルムユニット上のインジケータの存在も、バーコードにより担われる。
【００３６】
　インジケータ２２を持つ代わりに、フィルムユニット１４は、フォトフィニッシングユニット３８に達する前に予めソートされてもよい。この場合、フォトフィニッシングユニット３８に達する前の全てのフィルムユニット１４は、フィルタ符号を有するものと推定される。これは、人間が読取可能な、１つ以上のそれぞれのフィルムユニット１４上のインジケータ２２の存在に対応している指定４２を用いたマニュアルソートにより達成されてもよい。例えば、マニュアルソートは、カメラ１２ａ，１２ｂを、指定４２の存在に基づき、インジケータ２２を有するものとして分類することができ、カメラ１３を、指定４２及びインジケータ２２を欠くものとして分類することができる。自動ソートが、機械読取可能な指定４２又はインジケータ２２、並びに、検出器及び制御装置を有し、インジケータの存在又は欠落の検出に応じて、別のルートへとソーティングするソーティング装置（図示せず）を用いて、同様の様式で提供されてもよい。
【００３７】
　別々のインジケータが、別々のデジタル実行エンジン２３上で利用可能なそれぞれのデジタル補正に対して、提供されてもよい。この場合、ソーティングは、特定のデジタル実行エンジン２３で利用可能な補正のリスト（図示せず）に依存する。マニュアルソーティングでは、リストは、一枚の用紙上に印刷され、フィルムユニット１４の外面のインジケータ２２が照合される表と同じくらい簡潔なものであってもよい。自動ソートでは、インジケータが検出されて、ローカル又はリモートメモリ等の中のルックアップテーブルの形態をとることができるリストと比較される。インジケータが欠落しているか又はリスト上にないインジケータを有するフィルムユニット１４は、従来の処理のために、あるいは、何らかの他のパラメータに基づいた何らかの代替処理のためにソートされる。
【００３８】
　また、フィルムユニット１４は、フィルタ符号を有するフィルムユニット１４への入力を制限することにより、ソーティング又はインジケータ２２の検出なしに処理されてもよい。例えば、特殊な処理が必要となる特別なフィルムタイプが用いられてもよい。その代わりに、従来のフィルムユニットとフィルタ符号化されたフィルムユニットとが、全てフィルタ符号化されたものの如く、ともに処理されてもよい。この手法には、従来のフィルムユニットについてデジタル処理時間を不必要に増加させるという負担があり、さらに、フィルタ符号化に用いられる同様のフィルタ効果を有する従来のフィルムユニット１４の不適切な処理を補正する手段という追加の負担がある。
【００３９】
　再び図４を参照すると、特定のデジタル実行エンジン２３には、フィルムストリップを、フィルム供給リール４６からデジタルスキャナ４８を通してフィルム巻取リール５０へと進めるための、モータ化されたフィルムドライブ（図示せず）が含まれている。この場合、いくつものフィルムユニットからの複数のフィルムストリップ４０は、相互に接合されて、フィルム供給リール４６上の連続したウェブとなっている。フィルムストリップ４０のいくつかは、フィルタ符号化されたものであり、他のものはそうではない。フィルタ符号化されたフィルムストリップ４０の各々は、１つ以上のインジケータ２２（図示せず）を有する。バーコードリーダ等のデータリーダ２０（図１に示される）は、インジケータ２２を読み取れるように配置されている。データリーダ２０は、検出されたインジケータ２２を、制御ユニット５６へと通知する。スキャナ４８は、フィルムフレームが瞬間的にフレームゲート６０に位置しているときに、光を発して各フィルムフレームを透過させる投影光源５８、走査イメージセンサ６４（電荷結合素子（ＣＣＤ）等）上に投影される保存用のイメージを合焦する合焦レンズ６２を有する。イメージセンサ６４により得られた結果としてのアナログ電子イメージは、アナログ／デジタル（“Ａ／Ｄ”）変換器６６により、デジタル形式へと変換されるとともに必要なだけ増幅され、制御ユニット５６へと送出される。便宜上、スキャナ４８及びＡ／Ｄコンバータ６６は、ここで“デジタイザ（ｄｉｇｉｔｉｚｅｒ）”と総称されることがあり、これらの要素により提供される手順は、“デジタル化（ｄｉｇｉｔｉｚｉｎｇ）”と称されることがある。また、“デジタイザ”及び“デジタル化”なる用語には、同様の機能を提供する他の装置も含まれる。例えば、デジタイザは、キオスク（ｋｉｏｓｋ）のいくつかの要素を含んでいてもよい。
【００４０】
　制御ユニット５６は、プログラム可能なコンピュータ等であり、イメージを処理し、メモリ６７内にローカル又はリモートで格納されたルックアップテーブル等を用いて、所定のリストにある符号フィルタの効果を検出する。また、ルックアップテーブルは、それぞれのフィルタ効果に関連したデジタル補正を格納している。イメージ中にフィルタ効果が検出されると、関連した補正に対する相関関係が作成され、再現デジタルイメージが補正されて補正イメージとなる。補正イメージは、ハードコピー・プリントメーカや最終イメージを提供する他の機器等の出力装置６８への出力である。
【００４１】
　デジタルイメージにおけるカラーキャストや他のフィルタ効果を検出するための既知の手順が、符号フィルタ１６によりなされたカラーキャストを検出するのに適している。このような手順の簡単な例が、図１に、実線及び破線の双方で示されている。フィルムストリップ４０は、走査され、デジタル化され、全てのイメージについて個々のフォトフィニッシングユニット３８に用いられている標準的なデジタル処理にかけられる。例えば、これには、使用されている個々のスキャナ４８用のカラー補正が含まれてもよい。そして、イメージは、ディスプレイ上に１つずつ提示される（６９）。オペレータは、イメージを点検し、イメージが所定のフィルタ効果の組における１つを呈しているときに、それを検出する。そして、オペレータは、コントロールボタン等を用いて、その特定のフィルタ効果に割り当てられたデジタル補正を起動する（７１）。この手法には、比較的簡単で柔軟であるという利点があるが、比較的低速でオペレータのエラーによる影響を受けるという欠点がある。
【００４２】
　自動化手法は、図１の実線部分により示されている。この手順は、制御ユニットにおける中央処理ユニット内に実装されており、後述のアルゴリズムを提供するソフトウェアによりプログラムされている。中央処理装置は、上述のように、走査され、デジタル化され、標準的な処理にかけられた、デジタルイメージ上に作用する。
【００４３】
　ソフトウェアは、任意のコンピュータ読取可能な記憶媒体上で提供されうる。このようなコンピュータ読取可能な記憶媒体として、例えば、（フロッピーディスク等の）磁気ディスク若しくは磁気テープ等の磁気記憶媒体、光ディスク、光テープ、若しくは機械読取可能なバーコード等の光学式記憶媒体、読出専用メモリ（ＲＯＭ）若しくはランダムアクセスメモリ（ＲＡＭ）等の固体電子記憶媒体、又は、コンピュータプログラムを格納するために用いられる他のあらゆる物理素子若しくは媒体が含まれていてもよい。
【００４４】
　制御ユニットは、汎用コンピュータシステムの一部であってもよく、あるいは、フォトフィニッシング装置の専用部分であってもよい。後者の場合、中央処理ユニットは、イメージデータマネージャ（ＩＤＭ）と称されることもある制御システムの一部であってもよい。コンピュータシステム又はＩＤＭには、メモリが含まれており、オペレータによる監視及び介入を可能とするディスプレイ及びユーザ制御部が含まれていてもよい。
【００４５】
　カラー符号フィルタ１６の使用を検出するためのこの方法は、その符号フィルタ１６のカラー配置特性及び日中の光の下で選択された符号フィルタ１６を使用せずに撮影されたカラー中立な（ｃｏｌｏｒ−ｎｅｕｔｒａｌ）物体のカラー配置の事前の知識に依存している。２つのカラー配置、すなわち、最高輝度のカラー配置及び平均のカラー配置が、解析中のデジタルイメージにおける画素から直接算出される。算出された２つのカラー配置の各々は、所定の２つのカラー配置に対して、個別に比較される。具体的には、クロミナンス（ｃｈｒｏｍｉｎａｎｃｅ）空間におけるユークリッド距離が、メリット値として算出されて、デジタルイメージが得られた場面を撮影するのに使用された選択された符号フィルタが用いられた可能性が決定される。従って、本発明の重要な側面は、イメージの画素情報に基づいて予測カラー配置を算出すること、個々のカラー符号フィルタ１６の所定のカラー配置の特性を基準として算出された予測カラー配置の距離メトリックを算出すること、及び個々の符号フィルタ１６がイメージ画素情報を生成するのに用いられた可能性を示すために距離メトリックを用いることである。
【００４６】
　フィルムストリップ上に記録されたオリジナルの潜像から得られたデジタルイメージの組における各デジタルイメージは、選択された符号フィルタ１６が対応するオリジナルのイメージを記録するために用いられたかどうかを決定するために解析される。選択された符号フィルタ１６をカメラ１２の保存用の媒体の前に装着することにより、写真フィルム上に形成される結果としてのイメージに、全体的なカラーキャストがなされることになる。従って、対応するデジタルイメージには、特有の全体的なカラーキャストがある。すなわち、デジタルイメージの全画素が、同様に影響を受けることになる。
【００４７】
　通例、デジタルイメージのイメージ画素データは、赤、緑、青再現で取得される。デジタルイメージの全体的なカラーキャストは、赤、緑、青再現でのイメージ画素データを解析することにより直接検出可能であるが、本手順は、イメージ画素データを、輝度−クロミナンス再現（ＬＣＣ：ｌｕｍｉｎａｎｃｅ−ｃｈｒｏｍｉｎａｎｃｅ　ｒｅｐｒｅｓｅｎｔａｔｉｏｎ）へと変換して、検出過程で役立つようにする。変数Ｒij，Ｇij及びＢijは、第ｉ行第ｊ列に位置する赤、緑及び青のデジタルイメージ画素を示すものとする。変数Ｌij，ＧＭij，及びＩＬＬijは、輝度−クロミナンス表現のデジタルイメージにおける変換された輝度、第１のクロミナンス及び第２のクロミナンス画素値を、それぞれ示すものとする。行列変換の３×３要素が、式（１）により記述される。
【００４８】
　Ｌij＝０．３３３Ｒij＋０．３３３Ｇij＋０．３３３Ｂij　　（１）
　ＧＭij＝−０．２５Ｒij＋０．５０Ｇij−０．２５Ｂij
　ＩＬＬij＝−０．５０Ｒij＋０．５０Ｂij
輝度／クロミナンス行列変換における係数として用いられる具体的な値は、変更されてもよく、そのときにも実質的に同じ結果が得られることが、当業者には認識されるであろう。式（２）により記述される代替例が用いられてもよい。
【００４９】
　Ｌij＝０．３７５Ｒij＋０．５００Ｇij＋０．１２５Ｂij　　（２）
　ＧＭij＝−０．２５０Ｒij＋０．５００Ｇij−０．２５０Ｂij
　ＩＬＬij＝−０．５００Ｒij＋０．５００Ｂij
２つのクロミナンス画素の値ＧＭij及びＩＬＬijは、ｉｊ番目の画素のカラー配置座標を表している。
【００５０】
　撮影された自然の場面のほとんどは、カラーの幅があるが、光源の色によって決まる中央のカラー配置を中心として分布したクロミナンス画素値の分布を有する。図３６を参照すると、クロミナンス空間のグラフ例が示されており、その２軸の中心は、グレーのカードのようなカラー中立な色の物体を日中の光の下で撮影したもののカラー配置に対応した点１７１で示されている。輪郭１７２で示される領域は、日中の光の下で撮影された通常のデジタルイメージのクロミナンス画素値の領域を表している。クロミナンス画素値の相加平均又は中心は、点１７３で示されており、すなわち、平均カラー配置である。図３６に示されたグラフから分かるように、平均カラー配置は、クロミナンス画素値の領域内にあり、点１７１で示された日中の光の下で撮影された中間色の物体のカラー配置に近い。また、図３６に点１７４として示されているが、これは最も高い、すなわち最も明るい、対応する輝度値の画素のカラー配置である。一般に、最高輝度のカラー配置は、光源の色のよい指標となる。高い反射係数を有する物体が撮影されると、高輝度の画素値となる。このような物体は、カラー中立の物体（例えば、ワイシャツ、白紙等）であることが多いので、光源の色を示すことになる。
【００５１】
　選択された符号フィルタが所定の位置にある状態で同一の場面が撮影されると、結果としてのクロミナンス画素値はクロミナンス空間内で移動する。図３７に、このような例で移動したクロミナンス画素値のグラフ例を示す。日中の光の下で、選択された符号フィルタ１６をつけて撮影されたカラー中立色の物体のカラー配置は、点１８１で示されており、カラーフィルタのカラー配置と称される選択された符号フィルタ１６の特性の位置へと、クロミナンス空間内で移動している。輪郭１８２で示された領域が、選択された符号フィルタ１６の特性によりクロミナンス空間内で移動したクロミナンス画素値を示している。また、点１８３で示される平均カラー配置も、選択された符号フィルタ１６の特有のカラーに応じて、クロミナンス内で移動している。同様に、最高輝度のカラー配置が、（点１８４により示されるように）クロミナンス空間内で移動している。
【００５２】
　平均カラー配置及び最高輝度カラー配置の双方が、選択された符号フィルタ１６の使用を示しうることが、当業者には分かるであろう。すなわち、平均カラー配置又は最高輝度カラー配置が、使用中の選択された符号フィルタ１６における符号フィルタのカラー配置の特性に近いカラー配置を示す場合、選択された符号フィルタ１６が用いられていたことが想定される。また、選択された符号フィルタ１６の使用を検出することが、日中の光の下で照明された場面に期待されるものとは異なった、事前に知られている特定のカラー配置に基づくものであるため（日中のカラー配置は、図３７では点１８５により示される）本手順は様々なカラーのカラーフィルタとともに実行されてもよい。
【００５３】
　平均カラー配置は、式（３）を用いて算出される（ＧＭave，ＩＬＬave）。
【００５４】
　ＧＭave＝（１／Ｎ）□ijＧＭij　（３）
　ＩＬＬave＝（１／Ｎ）□ijＩＬＬij
ここで、変数Ｎは、デジタルイメージ内の画素数を表している。最高輝度のカラー配置は、最初に輝度画素値の累積ヒストグラムを算出することにより、算出される（ＧＭbr、ＩＬＬbr）。累積ヒストグラムは、最高輝度の画素を特定するために用いられる。画素のうちの最高輝度１０％に入った対応する輝度画素値を有する画素のみが、式（４）で示される最高輝度カラー配置の算出に用いられる。
【００５５】
　ＧＭbr＝（１／Ｍ）□ijＧＭij□ij　　　（４）
　ＩＬＬbr＝（１／Ｍ）□ijＩＬＬij□ij
ここで、変数Ｍは、全画素数の１０％に対応する画素数を表し、変数□ijは、画素のうちの最高輝度１０％に入った対応する輝度画素値の画素に対して１．０となり、他の全ての画素に対して０．０となる重み係数を表している。
【００５６】
　図３８に、選択された符号フィルタ１６を用いた場合の対応する算出された値でのカラー配置を示す。それぞれ点１９３及び１９４で示される平均カラー配置及び最高輝度カラー配置が、選択された符号フィルタ１６の使用を予測するのに用いられている。点１９１は、カラーフィルタのカラー配置を示している。最初に、カラーフィルタ１６及び日中のカラー配置を基準として、平均及び最高輝度カラー配置の双方について、距離パラメータが算出される。平均カラー配置（ＧＭave，ＩＬＬave）から日中のカラー配置（ＧＭday，ＩＬＬday）までの距離（Ｄave-day）は、式（５）により与えられる。
【００５７】
【数１】
2004135349.tif 000003
【００５８】
　平均カラー配置（ＧＭave，ＩＬＬave）からカラーフィルタのカラー配置（ＧＭcf，ＩＬＬcf）までの距離（Ｄave-cf）は、式（６）により与えられる。
【００５９】
【数２】
2004135349.tif 000004
【００６０】
　同様に、最高輝度カラー配置（ＧＭbr，ＩＬＬbr）から日中のカラー配置（ＧＭday，ＩＬＬday）までの距離（Ｄbre-day）は、式（７）により与えられる。
【００６１】
【数３】
2004135349.tif 000005
【００６２】
　最高輝度カラー配置（ＧＭbr，ＩＬＬbr）からカラーフィルタのカラー配置（ＧＭcf，ＩＬＬcf）までの距離（Ｄbr-cf）は、式（８）により与えられる。
【００６３】
【数４】
2004135349.tif 000006
【００６４】
　平均カラー配置からカラーフィルタのカラー配置までの距離（Ｄave-cf）が、平均カラー配置から日中のカラー配置までの距離（Ｄave-dey）未満である場合、選択された符号フィルタ１６が使用されていた可能性が高い。同様に、最高輝度カラー配置からカラーフィルタのカラー配置までの距離（Ｄbr-cf）が、最高輝度カラー配置から日中のカラー配置までの距離（Ｄbr-day）未満である場合も、選択された符号フィルタ１６が使用されていた可能性が高い。Ｄbr-cf＜Ｄbr-dayかつＤave-cf＜Ｄave-dayである場合には、選択された符号フィルタ１６が使用されていた可能性が、さらに高くなる。また、図３８には、線１９６も示されている。この線１９６は、クロミナンス空間を２つの領域に区分している。平均及び最高輝度カラー配置が、日中のカラー配置（点１９５で示される）を含む領域内にある場合、選択された符号フィルタ１６が使用されていた可能性が低いという判断がなされる。逆に、平均及び最高輝度カラー配置が、フィルタカラー配置（点１９４で示される）を含む領域内にある場合、選択された符号フィルタ１６が使用されていた可能性が高いという判断がなされる。
【００６５】
　上記説明には、算出された距離パラメータ間（例えば、Ｄave-cfとＤave-day）の直接的な比較が用いられているが、比例配分された比較が用いられてもよい。例えば、符号フィルタ１６が使用されていたことの可能性は、式Ｄave-cf＜１．５Ｄave-dayを用いて算出されてもよい。符号フィルタ１６の使用を検出することを最適化するために、乗算係数が用いられてもよい。符号フィルタ付き及び符号フィルタなしで取り込まれたイメージのデータベースが収集される。上述の検出方法は、取り込まれたイメージから得られたデジタルイメージに適用される。符号フィルタの使用に応じた真のデータが既知であるため、乗算係数は、正しく示された検出に対する誤って示された検出の数を最適化するために、調整可能である。
【００６６】
　代替的な手順として、選択された符号フィルタ１６の使用を示すために、最高輝度カラー配置を用いずに、平均カラー配置を用いてもよい。また、平均カラー配置を用いずに、最高輝度クロミナンス配置を用いてもよい。選択された符号フィルタ１６の特定のカラーが飽和するほど、検出結果が向上することが、予期されている。
【００６７】
　予測クロミナンスパラメータは、輝度−クロミナンス再現での基準クロミナンスパラメータの所定の数値範囲内にある場合に、基準クロミナンスパラメータに一致するものとされる。カラーフィルタのカラー配置（ＧＭcf，ＩＬＬcf）は、基準クロミナンスパラメータの一例である。平均カラー配置（ＧＭave，ＩＬＬave）が算出され、最高輝度カラー配置（ＧＭbr，ＩＬＬbr）が、予測クロミナンスパラメータの例となる。この範囲は、システム内の不正確さ、カメラに用いられた符号フィルタと基準値との差、及びフィルムとフィルム処理との差の関数である。範囲が狭いとエラーになりにくいが、コストが上昇しがちである。個々の実施形態に適した範囲は、試行錯誤によって容易に決定可能である。
【００６８】
　なお、予測クロミナンスパラメータの算出は、赤、緑、青再現のイメージ画素データで実行される。例えば、デジタルイメージ内の画素の個々のカラーを平均して、数量Ｒave，Ｇave及びＢaveとすることができる。同様に、カラーフィルタのカラー配置は、等価な数量Ｒcf，Ｇcf及びＢcfで算出可能である。そして、数量Ｒave，Ｇave及びＢaveは、数量ＧＭave，ＩＬＬaveを算出するのに用いられ、数量Ｒcf，Ｇcf及びＢcfは、ＧＭcf，ＩＬＬcfを算出するのに用いられうる。
【００６９】
　代替的な手順では、各画素は、個別に検討される。この手法には、カラーのような全体的なイメージパラメータを考慮することに由来するエラーを回避できるという利点がある。全体的なイメージパラメータによる符号フィルタ１６の使用及び不使用を区別することを意図したあらゆるアルゴリズムは、実際にはそうでなくとも、ほとんどがフィルタのカラーとなった場面の写真がフィルタによるものであると誤って結論づけてしまうことがある。あるいは、実際にはフィルタが所定の位置にあっても、フィルタ１６の補色が支配的な場面の写真がフィルタなしで撮られたと誤って結論づけてしまうことがある。各画素を個別に検討することにより、この種のエラーを回避することができる。
【００７０】
　フィルタ１６が所定の位置にある状態で、ある場面が取り込まれると、システムのノイズのみが個々の画素をフィルタの補色に近いものとする。各画素について検討することで、カラーキャストのための基準カラー配置に対する画素のカラー配置が所定の閾値を超えている場合、そのアルゴリズムは各例証を考慮することができる。閾値は、フィルタの不規則性、処理におけるノイズ等を考慮する。好適な値は、単純な試行錯誤によって定められる。
【００７１】
　いくつもの画素が、差の基準以上であるということは、その写真がフィルタ１６が所定の位置にある状態で撮られたものではないことを示している。差の基準は、エラーのための大きなマージン、デジタルイメージ内の全画素数の２５％未満、又は小さなマージン、全画素数の１０％未満、のある非常に少数の画素であってもよい。実際には、画素のサンプリングは、好ましくはデジタルイメージに渡る分布（ランダム又は格子パターン）にて、基準カラー配置と比較される。サンプリングは、基準カラー配置と照合され、すなわち、サンプリングが差の条件を満たす場合、イメージは特定のカラーキャストフィルタ効果を有するものとみなされる。
【００７２】
　サンプリングは、画素数について、該当する差の条件以上である。サンプリングにおける画素の数及び配置は、予め設定されていて解析毎に不変であってもよく、動的に変更されてもよい。後者の場合、各画素又はサンプリングは、順に比較され、該当する差の条件が満たされる場合に解析は停止する。
【００７３】
　画素は、イメージにおける限定された領域から採られてもよい。これは、フィルタリングがイメージの一部に限定されたいくつかの（後述する）実施形態のために必要となる。解析される領域を限定すると、領域が減少するにつれてリスクが増大し、通常とは異なるカラーの場面の内容により、誤った結果がもたらされることがある。
【００７４】
　サンプリングは、差の基準のサイズとなる。基準カラー配置は、カラーキャストの理論値と実際になされるカラーキャストとの差に相当するように補正されることが好ましい。基準カラー配置の補正は、フィルム感光度計、フィルム処理化学的効果、スキャナの不正確さ等に対応するものである。
【００７５】
　基準カラー配置は、個々の赤、緑、青（ＲＧＢ）の基準値の形式で予め定められうる。その場合、デジタルイメージの未処理のＲＧＢ画素値は、対応するＲＧＢ基準値に対して個々に関連づけられうる。ＲＧＢ画素値は、当初の電子イメージのアナログデジタル変換で直接与えられてもよい。その関連づけは、検出アルゴリズムを最適化する単一の手順にて実行可能である。その場合、サンプリングにおける各画素についての未処理のＲＧＢ値は、参照テーブル（ＬＵＴ）内の制限と比較される。ＬＵＴ内の値には、フィルタ化による予期された制限、及び非フィルタ処理システムについての中間のグレーバランスを達成するのに必要な係数が含まれている。すなわち、算出の効率化のために、その値には、既知のフィルム感光度用の補正、フィルムシステム感光度へのフィルム処理化学的効果、及びスキャナのキャリブレーション等が含まれている。
【００７６】
　この手法は、単一の符号フィルタを使用する観点で説明されてきた。同手法は、所定のカラー符号フィルタの組を使用することにも適用可能である。その場合、符号フィルタが使用されたかどうか、又はどれが使用されたかを立証するために、決定されたカラー配置が、その組のフィルタ用に予め定められた基準カラー配置に対してマッピングされる。
【００７７】
　他の代替的な手順として、高度に飽和した黄、シアン、又はマゼンダフィルタ１６を通して露光されたフィルタ符号イメージに適しているものがある。使用されたフィルタ１６は、フィルタ１６をカメラ１２の“カラーチャネル”の１つにおけるスペクトル特性に合わせるように選択されたものである。ここで用いられた“カラーチャネル”なる用語は、イメージの一部の取込を、様々なカラーの小規模の組における１つのカラーに制限するカメラの部分を指している。写真フィルムでは、様々なカラーが、一般に、様々な要素及び／又は様々な階層で取り込まれる。デジタルカメラでは、様々なカラーが、様々な階層で、あるいは様々なフィルタを用いて、同様に取り込まれる。通例、画素に分解された３色フィルタが、対応する画素分解されたイメージャ上で用いられる。その場合、各カラーチャネルは、フィルタ画素における単色のサブセットを有する。
【００７８】
　高度に飽和したフィルタ１６は、取り込まれたイメージのカラーレコード内のデジタルの原色を、遮断するかあるいは著しく低減する。例えば、高度に飽和した黄、シアン、又はマゼンダフィルタ１６は、写真フィルムにおける補色の青、赤、又は緑の要素／カラー層の露光を、遮断するかあるいは著しく低減する。同様に、高度に飽和した黄、シアン、又はマゼンダフィルタ１６は、それぞれの黄、シアン、マゼンダフィルタ１６を通じたデジタルカメラ１２の画素の露光を、遮断するかあるいは著しく低減する。デジタルイメージにおけるフィルタ処理を検出することは、原色値を単に比較することである。例えば、場面のカラー値が、合計されて相互に比較される。クロミナンス空間における解析は、この場合には必要とされない。デジタルの原色を欠いたカラーレコードは、自然発生的な場面を表す可能性が低いので、特定のカラーのフィルタ１６を慎重に使用したことを示すものと推定される。
【００７９】
　その代わりに、デジタルイメージのイメージ画素データは、不変のままとされてもよく、後にデジタルイメージに適用されるべき所望のデジタルイメージの処理効果の指示は、画素データを格納する電子ファイルの一部として、メタデータとして符号化されてもよい。そして、所望のデジタルイメージ処理効果を指定するメタデータが、後に読み取られ、所望のデジタルイメージ処理効果のある向上したデジタルイメージが、選択的に生成されてもよい。
【００８０】
　なお、上述の自動手段が、符号フィルタなしに撮影された自然の場面を、符号フィルタ付きで撮影されたものとして、誤って識別してしまうことがあるため、符号フィルタのためのカラー配置の選択は重要である。例えば、特定のカラーで占められたあらゆる自然の場面が、取り違えられてしまう。青が支配的な場面が黄の符号フィルタ付きで撮影されると、平均的に、中間色に近いイメージ画素データとなるであろう。好ましいことではないが任意のカラー配置によって自然の場面が支配的となる可能性があるので、同様の議論が、符号フィルタの他の任意の選択されたカラー配置に対してなされうる。符号フィルタについて高度にカラー飽和したカラー配置を選択することにより、符号フィルタ付きで撮影された自然の場面が符号フィルタなしで撮影された事前の場面と取り違えられる可能性が最小限となる。
【００８１】
　上記説明はデジタルイメージについての全体的なカラーキャストを決定することに関するものであるが、同手法が、デジタルイメージの一部のカラーキャストを決定するのに使用可能である。以下により詳細に説明されるように、符号フィルタは、デジタルイメージにおける所定の領域に局所化されうる。所定の領域に局所化された符号フィルタを検出するために、２つのカラー配置が、符号フィルタが使用されたかどうかを決定するために算出される必要がある。第１のカラー配置は、上述の方法を用いて、所定の領域に対応した画素のみを用いて、算出される。このように、選択された符号フィルタが所定の領域に使用されたかどうかについて、判別がなされる。第２のカラー配置は、１つ以上の符号フィルタに対応した所定の領域に重なった画素を何も含まないデジタルイメージ内の中心の画素の中心領域を用いて、算出される。第２のカラー配置は、第１のカラー配置と同様に算出されて、画素の中心領域のカラーキャストが、選択された符号フィルタを使用した場合に予期されるカラーキャストと同等のカラーキャストを示しているかどうかが決定される。本実施形態では、符号フィルタは、中央領域のカラーキャストに影響することがないので、第２のカラー配置は、符号フィルタ特有のカラー配置を示さない。すなわち、画素の中心領域から算出された第２のカラー配置は、符号フィルタが使用されていないことを示すことになる、すなわち、第２のカラー配置は符号フィルタと一致しないことを示すことになる。場面を撮影するのに符号フィルタが用いられたという肯定的な決定は、１）第１のカラー配置が、画素の所定の領域のカラーキャストを行うのに符号フィルタが用いられたことを示していることと、２）第２のカラー配置が、画素の中心領域のカラーキャストは符号フィルタが使用されたことと矛盾することを示していること、との組み合わせによりなされる。
【００８２】
　また、本方法で用いられた特定のフィルタ１６は、最終イメージのためになるように、選択されてもよい。その場合、フィルタ処理の効果が保たれる。他の多くの場合には、フィルタ処理の効果は、特定の補正に役立つわけではない。そのような状況では、フィルタ処理の効果は除去され、フィルタ処理の効果が除去される容易さが、考慮されるべきである。
【００８３】
　図１では、取り込まれたイメージは、暖色フィルタ（ｗａｒｍ　ｆｉｌｔｅｒ）１６、すなわち可視スペクトルにおける赤−黄部分内の光の伝播を制限するフィルタ１６により、フィルタ処理される。暖色フィルタ１６の効果は、結果としてのモノクロイメージに役立つものとして考慮され、それゆえに、最終イメージ内に保たれるものである。カラーイメージでは、フィルタ１６のフィルタ効果は、好ましくないものである。この場合、その効果は、デジタル処理により除去される。特定のデジタル処理手法により情報の損失が生じることに加えて、フィルタ処理の可視的効果を除去することではフィルタ処理により取り込まれることがない情報を復元することはできない。フィルタ１６、フィルム及び補正は、許容可能又はさらに好ましいフィルタ処理の効果をもたらすように選択されてもよい。例えば、白黒イメージを生成するために、カラーフィルムとともに暖色フィルタ１６を使用することによる効果は、一般的に好ましいものである。一方、中性フィルタ１６と等価なものともに白黒フィルムが使用された場合の、イメージ情報の損失は受け入れがたいものである。同様に、非カラーフィルタ１６は、同様の用途にて、受け入れ難いイメージの劣化を引き起こすことがある。あるイメージのカラーレコードの一部を補正するのにカラーフィルタ１６を使用することは、カラーレコードの残余が使用可能なままとなるため、比較的限られている。
【００８４】
　デジタルリバーサル用のフィルタ１６を、厳密に定義された特性に制限することは、都合のよいことである。これは、デジタル補正にてよく定義された特性を有するフィルタ１６の効果を補償するのが容易なためである。同様に、使用されたフィルタは、イメージ情報の損失を最小化するように、及び／又は、情報の損失をイメージにおけるより目立たないところへ移動させるように、選択されてもよい。例えば、デジタル補償後に、グレースケール情報を含んだ情報の全体的な損失が高くなりがちであるため、暗い中性濃度フィルタ１６は一般に好ましくない。一方、低〜中程度の中性濃度フィルタ１６、特にスペクトルの狭い部分のみを除去するフィルタ１６は、ほとんどのグレースケール情報を保持する。カラー情報が失われて、復元の努力が不充分であっても、一般的な使用のためのイメージにおいては、目立ちすぎるということにはなりにくい。グレースケール情報よりもカラーの再現に関心があれば、他の種類のフィルタが好ましいであろう。特定目的のためのフィルタ１６の選択がすぐに明らかというわけでなければ、単純な試行錯誤により、特定目的のための好適なフィルタ１６が、極めて迅速に得られる。
【００８５】
　符号フィルタ１６は、カメラ内の光学系における常設部分又は仮設部分として設けられうる。常設フィルタは、単一目的用の使い切りカメラには便利であるが、本発明はこのようなカメラに限定されるものではない。選択可能なフィルタは、使い切りカメラ又は再使用可能なカメラに提供される。フィルムカメラ及び写真フィルムユニットに関連して、ここでは一般的に特徴が説明されている。デジタルカメラ及びデジタル記憶媒体が、フィルムカメラ及び写真フィルムユニットの代わりに、あるいはそれらに加えて利用されてもよい。また、スキャナが、取込装置として使用されてもよい。これらの場合、シェーディングは、取込時に光学的である。（例えば、符号フィルタ処理のために、色付きの透明シートがプリント上に配置されてもよい。）結果としてのデジタルイメージは、フィルムイメージから得られたデジタルイメージと同様に取り扱われる。光学フィルタ処理の代わりとして、デジタルフィルタ処理が可能である。但し、これは、現時点では、デジタル及びフィルムイメージ用に同一のフォトフィニッシングシステム及びデジタル補正を用いる方法としてのみ望ましいものであると信じられている。
【００８６】
　モノクロデジタルイメージは、デジタルフォトフィニッシングシステムの処理ステップにて、式（１）及び（２）に記述された輝度信号Ｌijを用いて、カラーデジタルイメージから生成される。例えば、まず、最初のカラーデジタルイメージが、式（２）を用いて輝度−クロミナンス再現へと変換される。全体的なカラーキャスト効果をもたらす符号フィルタの場合には、全体的なカラーキャストは、ＧＭ及びＩＬＬクロミナンス信号情報から、対応するカラーキャストを差し引くことにより除去されうる。輝度信号は、白黒デジタルイメージとして直接使用可能である。但し、符号フィルタにより引き起こされたカラーキャストが一旦除去されると、画質向上のための他の任意のカラーキャストが引き起こされうる。例えば、符号カラーキャストの除去されたデジタルイメージを、赤−緑−青再現へと再変換することにより、光学的赤色カラーフィルタと等価なものが合成されうる。次に、処理されたデジタルイメージの赤画素は、その数値が低減されて、赤色フィルタによる効果を合成することができる。そして、最終的な白黒デジタルイメージが、式（１）又は（２）を用いて輝度信号を算出することにより、生成可能である。さらに、セピアデジタルイメージも、処理されたデジタルイメージのクロミナンス値を、セピアカラーに対応した一定値に設定することにより、生成可能である。従って、符号フィルタによりイメージデータに対して引き起こされた効果は、符号フィルタによりもたらされたカラーキャストがイメージ取込状態を補正又は補償しようとしていない場面では本質的に非治療的（ｎｏｎ−ｒｅｍｅｄｉａｌ）なものであると理解される。さらに、この非治療的なフィルタ効果は記録された光像から得られたデジタルイメージ内で検出され、最終的に処理されたデジタルイメージに異なったフィルタ効果がもたらされるという様式で、デジタル補正がデジタルイメージに対してなされる。このように、符号フィルタによるフィルタ効果は、デジタルイメージ処理にてもたらされたフィルタ効果から独立している。そのうえ、符号フィルタの非補正的フィルタ効果は、得られたデジタルイメージから、符号フィルタによる実質的なフィルタ効果が何も残らないように除去可能である。このように、最終的に処理されたデジタルイメージは、光像を符号フィルタのフィルタ効果なしに記録した写真システムにより生成されたものとして表示可能である。
【００８７】
　カラーフィルタ処理は、光像からカラー成分を差し引くという通常の意味で、ここでは一般的に説明されている。ここでの目的には、“フィルタ処理”等の用語は、全体的な場面のイメージに対する追加のカラー変更を含むものである。例えば、発光ダイオード等の色付きの光源が、撮影レンズに入ってきた場面のイメージに、未調整の色付きの光を加えるために、カメラに設けられてもよい。この特定の手法（取込の際に未調整の光を加えること）は、その効果が霞のようであり、場面の情報内容が劣化しうるので、現在のところ好適ではない。
【００８８】
　図５乃至図８を参照すると、カメラ１２はフィルムホルダ７０、該フィルムホルダ７０と位置合わせされた露出システム７２、及び該露出システム７２により規定された光路内に介在する符号フィルタ１６を有する。フィルムユニット１４は、フィルムホルダ７０内に保持されている。図５乃至図６を参照すると、カメラ１２は、ケース７６及びバッフルフレーム（buffled flame）７８のある本体７４を有する。本体７４は、他の構成要素を構造的に支持している。ケース７６は、フロント及びリアカバー８０，８１を含む。カバー８０，８１は、互いに接合され、該カバー８０，８１上にラベル８２（図６に図示）が貼付されている。バッフルフレーム７８は、カバー８０，８１間に配置されている。バッフルフレーム７８は、カメラフレーム８４、及び該カメラフレーム８４に対して接合されたバッフル８６を有する。
【００８９】
　露出システム７２は、バッフルフレーム７８に対して取り付けられるか、あるいは、バッフルフレーム７８とカバー８０，８１との間に保持される。露出システム７２には、撮影レンズ及びシャッタアセンブリ８８、フィルム給送ユニット９０、保持プレート９２、ファインダユニット９４、及びにフラッシュユニット９４が含まれている。露出システム７２の特徴は、このような構成要素が当業者に周知であるため、ここでは簡単に説明されるだけである。
【００９０】
　撮影レンズ及びシャッタアセンブリ８８には、シャッタ９８、撮影レンズ１００、及び支持部材１０２，１０４が含まれている。後側支持部材１０４は、シャッタ９８及び１つ以上のシャッタバイアススプリング１０６を、バッフルフレーム７８の取付部分１０８に対して支持する。前側支持部材１０２は、撮影レンズ１００を、後側支持部材１０４に対して支持する。フラッシュユニット９６は、シャッタアセンブリ８８に隣接し、イメージ取込の際にシャッタ９８が接触するフラッシュ接点１１０を有する。シャッタブレード９８は導電性である。バッテリ１１２は、電力供給のためにフラッシュユニット９６に対して接合されている。
【００９１】
　フィルム給送ユニット９０には、フィルムのパーフォレーションに係合するスプロケットホイール１１４、複数部品よりなる計測装填アセンブリ１１６、及びユーザにより操作されてフィルム給送ユニット９０に回転運動を与えるフィルム巻上部１１８が含まれている。また、カウンタホイール１２０もあり、計測装填アセンブリ１１６により駆動される。計測装填アセンブリ１１６には、計測及び高エネルギレバー１１５，１１７、１つ以上のバイアススプリング１２２、及びスプロケットホイール１１４を係合動作させる回転複数レベルカムユニット１２４が含まれている。保持プレート９２は、計測アセンブリ１１６を通じて写真の露光のためにシャッタ９８を開放する一体式シャッタレリーズ１２６を有する。ビューファインダユニット９４には、フレーム７８により規定されたトンネル１３１と嵌合する対向した一対のレンズ１２５，１２７が含まれている。
【００９２】
　バッフルフレーム７８には、第１及び第２のフィルムチャンバ１２８，１３０を有するフィルムホルダ７０、及びチャンバ１２８，１３０間の露出フレーム１３２が含まれている。フィルムカートリッジ１４のキャニスタ１３４は、第２のチャンバ１３０内に収納され、スプール１３６は第１のチャンバ１２８内に収納される。フィルムカートリッジ１４におけるフィルムストリップ４０の端部は、キャニスタ１３４内にてスプール１３６に対して取り付けられている（この取付は図示されていない）。露光がなされるにつれて、フィルムストリップ４０は、キャニスタ１３４内へと巻き取られてゆく。フィルムストリップ４０により形成されたフィルムロール（図示せず）は、露光が完結されてフィルムストリップ４０が完全に又はほとんどキャニスタ１３４内に収容されるまで、スプール１３６により保持される。
【００９３】
　符号フィルタ１６は、フロントカバー８０内の開口１３８を覆って、フロントカバー８０に対して取り付けられている。開口１３８は、撮影レンズ１００の光軸１４０に合わせられており、撮影レンズ１００により規定され且つ露出フレーム１３２に位置するフィルムフレーム（図示せず）に至る光路の一部になっている。符号フィルタ１６は、光路のどこにでも配置可能である。図７に、撮影レンズが一対のレンズ要素１４２，１４４を有する他のカメラ１２を示す。シャッタは図示されていないが、例えば、要素間に配置されてもよい。符号フィルタ１６は、フロントカバー８０におけるくぼみ１４６内の第１の位置に実線で示されている。フィルタ１６のいくつかの代替的な位置が、破線で示されている。それらの代替的な位置では、フィルタ１６は、レンズ系１００の２つの要素１４２，１４４間であって、後側レンズ要素１４４の内部で、露出フレーム１３２におけるフィルム４０直上にある。
【００９４】
　図８に代替例を示す。ここでは、使い切りカメラ１２のフロントカバー８０が、レンズ系１００に隣接していて互いに対向した一対のブラケット１４８を有する。矩形のフィルタホルダ１５０内のフィルタ１６は、レンズ上の使用位置とレンズ系１００により規定された光路に対して間隔をおいた位置関係の格納位置（図８に示す）との間で、ブラケット１４８に沿ってスライド可能である（矢印１５２で示される）。同様のスライドフィルタ機構が、フロントカバー８０の内部に設けられてもよい。他のフィルタ動作機構が、用いられてもよい。例えば、内部及び外部のフィルタホイールは、当業者に周知である。
【００９５】
　上記説明は、均質のフィルタ処理についてのものである。その代わりに、不均質のシェーディング又はフィルタ処理による符号化が提供されてもよい。“シェーディング”なる用語は、ここでは、フィルタ処理及び完全な遮光（ここで“シャドーイング”とも称される）の双方を指している。
【００９６】
　例えば、図９を参照すると、符号フィルタは、パターンを有していてもよい。図９では、上部１６０はある色についてフィルタ処理し、下部１６２は他の色についてフィルタ処理する。フィルタ処理の効果は、デジタル処理にて除去されうる。その代わりに、その効果が保持されてもよい。例えば、図９では、イメージのある部分をオレンジについてフィルタ処理し、他の部分を赤についてフィルタ処理する。両部分で中性濃度が同じであり、対応する補正がカラーイメージをモノクロイメージへと変換するのであれば、モノクロイメージ上の効果は、ある用途には、著しく目立つというものではない。
【００９７】
　また、符号化は、部分シェーディングによりなされてもよい。部分シェーディングでは、場面の取り込まれたイメージの一部のみが、シェーディングされる。部分シェーディングは、露出フレーム１３２における辺の対１５６，１５８の一方又は双方に対して傾斜している。部分シェーディングは、取り込まれたイメージにおける対応して隣接する辺についても、同様に傾斜している。（便宜上、以下では、露出フレーム１３２の辺１５６，１５８のみに言及する。）“傾斜”なる用語は、通常の意味で用いられており、辺の対１５６，１５８の双方に対して傾いた方向にイメージをクリッピングするシェーディングを指し、辺の対１５６，１５８の一方の一要素を他方のものよりもクリッピングするシェーディングを指し、また、その両者を実行するシェーディングを指している。
【００９８】
　部分シェーディング符号化では、符号化された情報は、シェーディングされた領域の位置、シェーディングされた領域の形状、提供されたシェーディングの種類、及びこれらの特徴の組み合わせにより伝達されうる。シェーディングの種類は、不透明な領域のあるシェーディングスクリーン１５４を用いて、シェーディング領域内で完成するか、あるいは、その代わりに、シェーディングは、フィルタ処理領域のあるシェーディングスクリーンを用いて、シェーディング領域内で未完成となりうる。シャドーイング及びフィルタ処理は、シェーディング領域内にて組み合わせ可能で、フィルタ処理は特定のフィルタパターンで提供される。
【００９９】
　図５乃至図８のカメラ１２は、符号フィルタをシェーディングスクリーン１５４で置き換えることにより、前述の均質のフィルタ処理における所定位置での傾斜シェーディングを提供するために変更されてもよい。シェーディングスクリーン１５４は、所定の位置に固定、すなわち、露出フレームに対して不動となるように固定されることができる。特定の実施形態では、複数の別々のシェーディングスクリーン１５４が、順番に、露出フレーム１３２を基準とした位置へ移動可能である。他の実施形態では、シェーディングスクリーン１５４は、シェーディング領域、そしてある場合にはシェーディング領域の形状を変更するように、露出フレーム１３２を基準として移動可能である。
【０１００】
　符号パターン又はシェーディングパターンの複雑さは、検出のための現実的な制限内で、要求通りに変化しうる。例えば、シェーディング領域は、鋸歯状の辺を有していてもよい。シェーディングパターンは、個々のシステムの要求に合わせて最適化されうる。例えば、ある場合には、フィルムイメージの縦の辺の一部を少なくとも保持することで、フィルムフレームの長さが、フィルムイメージの全体的な長さにより規定されたままとなることが望ましい。位置決めが、縦のフィルムイメージ／フィルムのフレーム辺を検出することにより、各フレームについて明確に決定されているため、これは、フィルムストリップが誤登録されてしまい、実際のフィルムフレームに対して誤った位置で走査されるというリスクが低くなる。
【０１０１】
　テンプレート適合方法を用いると、鋸歯状の辺のパターンがデジタルイメージ内で検出されうる。このような方法には、画素テンプレートを巻き込むことが含まれる。すなわち、予期される鋸歯上の辺のパターンのサイズ及び形状に似た画素値の二値的配列が、鋸歯状の辺のパターンが配置可能な画素の領域（ここでは“サブエリア”とも称される）内のイメージ画素データとともに含まれる。畳込み動作には、テンプレートの画素値をデジタルイメージの画素値で乗じることが含まれる。そして、このような乗算値が合計されて、検出される鋸歯状の辺のパターンの可能性を示すのに使用可能なテンプレート配置メトリックが得られる。この畳込み動作は、デジタルイメージを基準とした別々の位置にてテンプレートとともに実行される。このように、テンプレート配置メトリックは、テンプレートにおける複数の位置について算出される。テンプレート配置メトリックの値が高いということは、イメージ画素データ内に鋸歯状の辺のパターンがある可能性が高いことを示すものである。複数のテンプレート配置メトリック値が、ソートされて、鋸歯状の辺のパターンが最もありそうな位置を判別してもよい。そして、テンプレート配置メトリックの最高値が、テンプレート配置メトリックの閾値と比較されて、鋸歯状の辺のパターンが存在するか存在しないかが決定されてもよい。
【０１０２】
　符号フィルタにより処理されるべきデジタルイメージに付与された他の空間パターンが、上記のテンプレート適合方法を用いて検出可能である。例えば、図２８に示されているとともに以下でより詳細に説明する符号の実施形態によると、イメージ領域における角の部分のシェーディングされた部分が生成される。このシェーディングされた部分は、符号機構の配置に基づいた特有の角度を有する。この場合、直線の辺のテンプレートが、上述のテンプレート適合方法に使用可能である。直線の辺のパターンが存在することを決定するために、直線の辺のテンプレートのパターンにおけるそれぞれの配置だけでなく、別々の部分について畳込み動作が繰り返される。上述のように、直線の辺のテンプレートのパターンがシャドーイングされた領域の向き及び配置と一致した場合には、明確な決定が可能となる。
【０１０３】
　また、上述のカラーキャスト検出手順は、イメージにおける所定の領域内のカラーキャストを検出するためにも、使用可能である。種々のカラーキャスト検出手順が、イメージにおける別々の領域に対して繰り返されてもよく、別々の手順が、組み合わされて用いられてもよい。傾斜したシェーディングでは、符号フィルタ処理に関連して上述されたのと同様に、識別子が用いられる。
【０１０４】
　図１０を参照すると、不均質のシェーディングスクリーン１５４が、シェーディングをイメージの小部分のみに制限することができる。シェーディングされる部分のサイズは、容易に検出可能なように充分大きくなっている。シェーディングの効果は、最終イメージを容認不能なほどに劣化させることがないように、制限されている。フィルタ処理では、このことは、フィルタ効果又はフィルタ効果のデジタルリバーサルによるイメージの劣化のどちらが、最終イメージにてより目立たないか、といいう結果をもたらしうる。図１０では、イメージの大部分である広い部分１６４が、フィルタ処理されていない。その残りとして、赤及びオレンジでそれぞれフィルタ処理される２つの小領域１６６，１６８がある。
【０１０５】
　傾斜シェーディングを提供するカメラ１２は、ほとんど、上述のカメラ１２と類似している。特に、フィルムホルダ７０は、対向する辺の２つの対１５６，１５８がある矩形の露出フレーム１３２を有する。辺１５６，１５８は、露出開口１７０を取り囲んでいる。撮影レンズ系１００は、露出開口１７０の中心を通って伸びる光軸１４０を有する。レンズ系１００は、場面の光像を、露出開口１７０を通じて、露出フレーム１３２内に保持されたフィルムフレームへと、光路に沿って伝達する。露出開口１７０では、光像は、露出フレーム１３２の対向する辺の２対により縁取られている。
【０１０６】
　図１１乃至図３３、及び図３８乃至図３９を参照すると、ある種の傾斜シェーディングカメラ１２は、本体７４に取り付けられたガイド２０２を有する。ガイド２０２は、１つ以上のシェーディングスクリーン１５４を有するスクリーナ（ｓｃｒｅｅｎｅｒ）１５３を支持している。ガイド２０２は、複数のステーション２０４を規定している。スクリーナ１５３は、ガイド２０２を基準としてステーション間で段階的に移動するように動作可能である。各ステーションでは、別々のシェーディングパターンが、シェーディングスクリーン１５４による露出開口にて提供されており、露出開口１７０上に配置されている。スクリーナ１５３は、各ステーション２０４にて、光軸１４０に対して異なって配置されている。配置の差異は、回転方向、並進方向又はその両者であってもよい。スクリーナ１５３は、ステーション間の移動の際にも、カメラ１２に対して取り付けられたままになっている。
【０１０７】
　上述のフィルタ１６のときのように、シェーディングスクリーン１５４は、光路に沿った任意の場所に使用のために配置可能である。例えば、図８のカメラ１２では、フィルタ１６は、単一のシェーディングスクリーン１５４を有するスクリーナ１５３で置換可能である。その場合、図８のカメラ１２のブラケット１４８は、ガイド２０２である。スクリーナ１５３及びガイド２０２の全体構成は、ステーション２０４の数、スクリーナ１５３の動作様式、及び与えられたシェーディングの構成によって決定される。
【０１０８】
　図１１乃至図１４を参照すると、硬質のスクリーナ１５３が、支持構造１５５と一体のシェーディングスクリーン１５４を複数有するカメラ１２が示されている。あるシェーディングスクリーン１５４ａは、矩形状であり、露出開口の上部に渡って配置されている。第２のシェーディングスクリーン１５４ｂは、Ｌ字型であり、露出開口の上部及び一側に延びている。第２のシェーディングスクリーンに連続しているのが、符号フィルタ１６である。スクリーナ１５３は、露出フレーム１３２上の長手方向の移動により、ステーション２０４間で移動する。フィルムストリップ４０は、これらの図では示されていないが、露出フレーム１３２まで又はそこを越えて、ガイド２０２に沿って移動することになる。この手法は、理解しやすいように、ここで説明されている。実際のカメラは、図１１乃至図１４に明らかなように、扱いにくい要素であるが、使用可能なものである。
【０１０９】
　ガイド２０２は、その内でスクリーナ１５３がスライドする一対の溝の形状（図１１乃至図１４では箱で示される）になっている。タブ２０８ａの形状になったスクリーンドライバ２０８は、スクリーナ１５３からカメラ１２の外部へと上方へ延びており、ユーザが移動させることにより、スクリーナ１５３をステーションからステーションへと移動させる。ライトロックが、タブ２０８ａに設けられている。例えば、タブ２０８ａは、クランク形状であってもよく、スロット（図示せず）内で移動してもよい。
【０１１０】
　図１１に示されたスクリーナの第１の位置では、シェーディングが存在していない。図１２に示された第２の位置では、シェーディングスクリーンが、露出フレーム１３２の長手側の上辺をシェーディングしている。シェーディングされた領域の形状は、長方形状である。シェーディングは傾斜しており、下辺はシェーディングされていない。図１３に示された第３の位置では、Ｌ字領域内に、不均一なシェーディングがなされている。
【０１１１】
　いくつかの場合では、シェーディングされた領域のサイズ及び形状は、シェーディングが最終イメージと矛盾するように、特定のフォトフィニッシング補正に適合されてもよい。例えば、図１２の場合、擬似パノラマの最終イメージ用の補正は、シェーディングされた領域を用いない。同様に、図１３では、シェーディングされた領域の内部にある特定の擬似ズーム（中央の領域が拡大されている）が提供されている。
【０１１２】
　図１４に示された第４の位置では、フィルタ処理が提供されている。このフィルタ処理は、フィルタ効果が存在することがフォトフィニッシングユニット３８によりどのように解釈されるかに基づいて、フィルタ符号として又は芸術的効果のために使用可能である。一般に傾斜シェーディング及びフィルタ符号化のときのように、特定の符号の効果は、特定のフォトフィニッシングチャネルのために予め定められている。
【０１１３】
　ビューファインダマスクユニット２０９は、スクリーナ１５３に接合しており、スクリーナ１５３とともに移動する。マスクユニット２０９は、３つのビューファインダマスク２１１ａ，２１１ｂ，２１１ｃを有する。マスク２１１ａ，２１１ｂ，２１１ｃは、支持構造２１３により相互に接合されている。マスク２１１ａ，２１１ｂ，２１１ｃは、シェーディングスクリーン１５４ａ，１５４ｂ及び符号フィルタ１６に対して、それぞれ位置合わせされている。シェーディングスクリーン１５４ａ，１５４ｂは、ファインダ内に表示可能なデジタル補正に対応している。各マスク２１１ｃは、それぞれのシェーディングスクリーン１５４又は符号フィルタ１６に対応したデジタル効果をユーザに示す。
【０１１４】
　シェーディングスクリーン１５４ａは、擬似パノラマ補正に対応している。シェーディングスクリーン１５４ｂは、擬似望遠補正に対応している。それぞれのビューファインダマスク２１１ａ，２１１ｂは、生成されるそれぞれの最終イメージに現れない場面のイメージの部分をフィルタ処理する。マスク２１１ｃは、符号フィルタ処理（又は芸術的フィルタ処理）が存在することを、色を通じて伝達する。マスク２１１ａ，２１１ｂは、フィルタ処理部分ではなく不透明体を有していてもよい。ビューファインダマスクは、デジタル補正の性質を、印やテキストのメッセージ（図示せず）のような他の方法で担うことができる。
【０１１５】
　図１１乃至１４に示されたカメラにおけるより実用的な変形例が、図１５乃至図１８に示されている。この場合、スクリーナ１５３は、可撓ベルトであり、ガイド２０２は、互いに離隔配置された一対のローラ２１０を有する。スクリーナ１５３には、図１１乃至図１４のカメラと同一の構成で、透明支持構造１５５により相互に接続されたシェーディングスクリーン１５４ａ，１５４ｂ及びフィルタ１６が含まれている。ガイド２０２は、カメラ１２内において露出フレーム１３２の直前に、配置されている。スクリーナ１５３は、露出フレーム１３２に渡って延びており、その各端部が、それぞれのローラ２１０に取り付けられている。スクリーナ１５３は、両ローラ２１０の一方又は双方の周りに巻き付けられており、両ローラ２１０間で移動し、要求に応じて、スクリーナ１５３をステーション２０４からステーション２０４へと移動させて、シェーディングスクリーン１５４及びフィルタを露出開口上に配置する。
【０１１６】
　図１５乃至図１８を参照すると、ビューファインダマスクユニット２０９も、互いに離隔配置された第２の対のローラ２１５間で巻き付けられるとともに展開される可撓ベルトになっている。（これらの特徴は、図１５における破線で示されている。）ビューファインダマスクユニット２０９は、支持構造２１３により相互に接合された３つのマスク２１１ａ，２１１ｂ，２１１ｃを有する。マスク２１１は、上述のように、対応するシェーディングスクリーン１５４のデジタル補正を示す。各マスク２１１は、ビューファインダに対して位置決めされている（ビューファインダトンネル１３１は、図１５における破線で示されている）。
【０１１７】
　ビューファインダマスクユニット２０９及びスクリーナ１５３は、ノブ２０８ｂがカメラ１２の本体７４の外側に露出した形態で、スクリーンドライバ２０８により同時に動かされる。ノブ２０８ｂは、ギア列２１６（図１５に示される。ノブからギア列へ延びたシャフトは、図１６にて破線の円２１８で示されている。）によりローラ２１０，２１５に対して連結されている。ステーション２０４からステーション２０４へのスクリーナ１５４の動作は、ノブ２０８ｂを１／４回転を回転させることが必要となるように連動している。移動止め２２０は、スクリーナ１５４を、各ステーション２０４にて保持する。第１のスクリーナ位置では、露出開口は、透明支持構造１５５のみにより覆われている。他の３つのスクリーナ位置では、シェーディングスクリーン１５４ａ，１５４ｂ、及びフィルタ１６が、それぞれ露出開口上に位置する。第１のスクリーナ位置では、ファインダは覆われていない。他の３つのスクリーナ位置では、マスク２１１ａ，２１１ｂ，２１１ｃが、それぞれファインダ上に位置する。
【０１１８】
　図１６における移動止め２２０は、カメラ本体７４に対して一端が固定された板バネである。移動止めの突起が、ノブ２０８ｂ上の一連の係合部２２２の一つと係合する。各係合部２２２は、スクリーナ１５３をそれぞれのステーション２０４に位置させるように、配置されている。対応するデジタル補正を特定する印２２４は、それぞれの係合部２２２に隣接している。
【０１１９】
　特定の移動止め２２０は、スクリーナ１５３を特定のステーション２０４に保持しようとするバイアス部材の形態である図１６に示された形状をとっていてもよく、その代わりに、初期インパルスに応じてスクリーナ１５３をステーション２０４からステーション２０４へと駆動するオーバーセンタ機構（ｏｖｅｒ−ｃｅｎｔｅｒ　ｍｅｃｈａｎｉｓｍ）であってもよい。このような機構及びあらゆる形態における種々の移動止め２２０は、当業者に周知のものである。移動止め２２０の効果は、スクリーナの小さな動きを抑止又は阻止することにより、スクリーナの動作を、ステーション２０４からステーション２０４へと段階的にすることである。移動止めは、スクリーナ１５３、又はマスクユニット２０９、又はドライブ２０８上というように、便利なところならどこにでも配置可能である。
【０１２０】
　図示されたカメラ１２は、マニュアルのスクリーンドライバ２０８に対応している。その代わりに、自動化されたスクリーンドライバ２０８が、設けられてもよい。例えば、スクリーナ１５３は、コントロールユニットにより制御されるステッパモータ等（図示せず）により駆動されてもよい。その場合、適切なプログラミングにより、移動止めが提供されてもよい。
【０１２１】
　図１９乃至図２４に、他のシェーディングスクリーンのいくつかの代替例（ハッチング領域により示される）、及び走査されたイメージに対するそれぞれのデジタル補正（破線により示される）を示す。図１９では、シェーディングスクリーン１５４が、潜像の左上隅をクリッピングしている。それに対応する補正は、擬似パノラマ最終イメージである。図２０では、シェーディングスクリーン１５４が、潜像の右上隅をクリッピングしており、それに対応する補正は、擬似望遠イメージである。図２１では、左上隅のより広い部分が、シェーディングスクリーン１５４によりクリッピングされており、イメージは、補正において、デジタルで第１の範囲まで拡大される。図２２では、左上隅のさらに大きな部分がクリッピングされており、補正によりなされる拡大の倍率が図２１の場合よりも大きくなっている。図２３では、潜像の４隅全てがシェーディングされている。補正が図２１の場合と同じ拡大倍率を与えるため、このようなイメージのクリッピングが、最終イメージに干渉することはない。図２４では、潜像の４隅が、さらにクリッピングされている。その拡大倍率は、図２２の場合と同じである。
【０１２２】
　図５、図６及び図２５乃至図３３を参照すると、図６のカメラ１２の変形例は、上述のカメラ１２と同様の一般的な特徴を有する。カメラ１２は、シェル７６及び該シェル７６内に取り付けられたカメラフレーム７８がある本体７４を有する。本体７４は、他の構成要素に対して構造的な支持を提供する。シェル７６には、フロント及びリアカバー８０，８１が含まれている。図示された実施形態では、シェル７６は、対向する一対のカバー８０，８１を有する。
【０１２３】
　カメラ１２は、フィルムホルダ７０、該フィルムホルダ７０に対して位置決めされた露出システム７２、及び該露出システム７２により規定された光路内に挿入されたシェーディングスクリーン１５４を有する。フィルムホルダ７０は、図示された実施形態ではフレーム７８の一部であり、露出開口１７０を取り囲んだ露出フレーム１３２を有する。フィルムユニット１４は、フィルムホルダ７０内に保持される。
【０１２４】
　露出システム７２は、本体７４内に取り付けられている。露出システム７２は、光軸１４０のある撮影レンズ１００を有する。写真撮影時に、撮影レンズ１００は、場面のイメージを、撮影レンズ１００及びバッフル８６を通じて、露出開口１７０へと伝達する。露出システム７２は、フレーム７８に対して取り付けられているか、あるいは、フレームとカバー８０，８１との間に保持されている。露出システム７２には、撮影レンズ及びシャッタアセンブリ８８、フィルム給送ユニット９０、ビューファインダユニット９４、並びにフラッシュユニット９６を有する。
【０１２５】
　スクリーナ２２６は、本体７４内に取り付けられている。スクリーナ２２６は、露出フレーム１３２に対して、回転軸２５４を中心として回転可能である（図２６にて“＋”で示される）。スクリーナ２２６は、第１の位置と１つ以上の第２の位置との間で回転する。露出フレーム１３２に対するスクリーナ２２６の別々の回転角度に、別々の位置及びステーションが配置されている。スクリーナ２２６の動作を、相隣接するステーション間の離散的なステップへと制限するのに役立てるために、移動止めが、上述の場合と同様に設けられてもよい。
【０１２６】
　スクリーナ２２６は、通過する光を遮断又はフィルタ処理するシェーディングスクリーン１５４を有する。シェーディングは、シェーディングスクリーン１５４に渡って均質又は不均質であってもよい。シェーディングスクリーン１５４は、不透明であってもよい。この場合、シェーディングにより、全ての光が実質的に遮断される。また、シェーディングは、シャドーイングとも称される。また、シェーディングスクリーン１５４はフィルタであってもよく、その場合には、シェーディングはフィルタ処理とも称される。フィルタは、均質であってもよく、所定のパターンにより不均質であってもよい。シェーディングスクリーン１５４は、フィルタ処理の領域とシャドーイングの領域との組み合わせを有していてもよい。第２の位置の各々において、シェーディングスクリーン１５４は、露出開口１７０を部分的に被覆し、伝達されてきた光像の一部をシェーディングする。
【０１２７】
　図２５乃至図３４のカメラ１２では、スクリーナ２２６は、露出フレーム１３２に隣接している。スクリーナ２２６は、図７に示されたフィルタ１６の位置のような、光路内の他の場所に配置されてもよい。スクリーナ２２６は、特定の位置について、必要に応じてサイズ変更されてもよい。
【０１２８】
　図２６を参照すると、これらの実施形態では、シェーディングスクリーンは、円の一部のような形状であり、参照番号１５４ｄで示される。スクリーナ１５３には、シェーディングスクリーン１５４ｄ、及び１つ以上のリング部の形状をとる支持構造が含まれている。
【０１２９】
　各シェーディングスクリーン１５４ｄは、弓形部２３２及び接続部２３４のある境界２３０を有する。弓形部２３２は、一対の互いに対向する端部２３６を有する。接続部２３４は、弓形部２３２の端部２３６間に延びている。図２８では、接続部２３４は、直線状であり、円の弦を規定している。接続部２３４は、他の形状（図示せず）、例えば鋸歯状又は階段状であってもよい。このような形状の接続部２３は、カメラの種類、あるいは、近接した回転位置をよりよく識別するため等、追加の符号情報を提供するために使用可能である。
【０１３０】
　シェーディングスクリーン１５４ｄは、１つ以上のリング部に接合している。この応用例では、“近リング部２２８ａ”なる用語は、シェーディングスクリーンの境界における弓形部２３２に対して径方向に固定されたリング部を指すのに用いられている。“遠リング部２２８ｂ”なる用語は、シェーディングスクリーン１５４の弓形部２３２における端部２３６にて、死角の末端へと、あるいは、弓形部２３２における反対側の端部に回帰する弓形へと、外方へ延びたリング部を指すのに用いられている。リング部２２８は、完全な円又は弧を形成していてもよい。露出開口１７０は、シェーディングスクリーンの後方にあり、リング部２２８が、露出開口１７０をシェーディングすることがないように、リング部２２８内に適合するようなサイズになっている。
【０１３１】
　スクリーナ２２６のリング部２２８の径方向における全範囲は、当該スクリーナ２２６のための利用可能な第１又は第２の位置により決定されている。図２８乃至図３１に示された実施形態では、スクリーナ２２６は、利用可能な位置の全てに到達するように、少なくとも１８０°回転する必要がある。この場合、双方向に３６０°回転動作可能にすると便利である。この実施形態では、近リング部２２８ａは、シェーディングスクリーン１５４ｄの境界２３０の弓形部２３２に沿って延びており、遠リング部２２８ｂは、近リング部２２８ａの端部に接合している。近リング部及び遠リング部２２８は、ともに、連続したリングを定義している。
【０１３２】
　スクリーナ２２６は、近リング部２２８ａ又は遠リング部２２８ｂまでに制限されてもよい。また、近リング部及び遠リング部２２８の角度範囲は、１８０°未満であってもよい。これらの場合、スクリーナ２２６の回転は同様に制限される。
【０１３３】
　スクリーナドライバ２３８は、リング部２２８に作用して、スクリーナを回転軸の周りに回転させる。図示された実施形態では、リング部２２８はリングギアの一部であり、その歯（図示せず）は、リング部２２８の外周面２４０上に位置している。スクリーナドライバ２３８は、リング部２２８の歯とかみ合う駆動ギア２４２を有する。駆動ギア２４２に連結したシャフトは、スクリーナ２２６をそれぞれの位置に移動させるためにユーザが操作する外部装着ノブ２４６へと、シェル７６を通じて延びている。ギア列（図示せず）が、シェーディングスクリーン駆動ギア２４２の位置に用いられてもよい。
【０１３４】
　その代わりに、スクリーナ２２６は、カメラ本体７４から外部に露出したリング部２２８の１つの長さを有していてもよい（例えば３０°の長さ）。その場合、ユーザは、スクリーナ２２６を直接回転させることができる。この手法では、部品が少数しかないが、必要なライトロック機構は、比較的複雑になりやすい。
【０１３５】
　カメラには、スクリーナと同時に駆動されるビューファインダマスクユニット２０９が、含まれている。一例が、図２５乃至図２６に示されている。この場合、マスクユニットは、中心に対して径方向の別々の位置に配置されたマスク２１１の組を有する薄いディスクである（図示せず）。マスク２１１は、支持構造２１３により接続されている。図２５乃至図２６に示された実施形態では、支持構造２１３は透明である。マスク２１１は、予期されるデジタル処理後の最終イメージには現れないビューファインダの部分をフィルタ処理又はシャドーイングする。マスクユニット２０９は、リアカバー８１と外側パネル２２７との間のくぼみ２２５内に保持されており、駆動ギア２４２とかみ合うギア列２１６により動作する。
【０１３６】
　スクリーナドライバ２３８は、上述のスクリーンドライバ２０８と同様、当業者に既知の様式で変更されうる。例えば、ギアを摩擦車で置き換えることができる。同様に、スクリーナドライバ２３８は、電気モータにより動力供給されてもよい。例えば、スクリーナドライバ２３８は、制御ユニット５６により制御されるステッパモータで駆動されてもよい。ユーザは、スクリーナドライバ２３８を、カメラ１２内のプログラム可能なコンピュータを通じてモータに接続したスイッチ又はユーザ操作部により操作可能である。電気的に駆動されるスクリーナ２２６の正確な位置決めは、ズームレンズの位置決めと同様になされうる。例えば、ステッパモータが使用されてもよく、あるいはその代わりに、特定の位置に達したことを示すのに、フィードバックが用いられてもよい。ロータリエンコーダに連結した摩擦ディスク又はギアは、フィードバックを提供するためにコードプレート（図示せず）等を有していてもよい。
【０１３７】
　図２８乃至図３１及び図３４乃至図３５を参照すると、スクリーナ２２６は、ガイド２０２により所定の位置に保持される。ガイド２０２は、スクリーナ２２６を、スクリーナドライバ２３８が当該スクリーナ２２６を回転させるのに充分なくらいに緩く保持している。ガイドは、リング部又は部分２２８にのみ当接することが好ましい。当接する領域は、小さな弓形であるか、あるいは、スクリーナ２２６の全曲線の範囲に渡っていてもよい。
【０１３８】
　図２５乃至２６に示される実施形態では、ガイド２０２は、バッフル８６内のスロットであり、スクリーナ２２６は、そのスロット内で回転する。図２８乃至図３１の実施形態では、ガイド２０２は、カメラ１２のフレーム内の連続した円形状の溝である。図３４乃至図３５に示された実施形態では、横に延びて対向する一対のフランジ２４８が、バッフル８６に接合している。一対のスロット２５０が、フランジ２４８、露出フレーム１３２の左右の端部２５２、及びフィルムチャンバ１２８，１３０の介在部分により定義されている。左右の端部及びフランジ２４８は、スロットに隣接する平行隣接面を有する。それらの面及びチャンバ１２８，１３０の部分の面は、ガイド２０２になっている。スクリーナ２２６は、スロット２５０内に収容される。スクリーナ２２６は、露出フレーム１３２の上方及び下方でガイド２０２から自由になっている。
【０１３９】
　特定の実施形態では、シェーディングスクリーン１５４ｄは、その第１の位置にある場合に、露出開口１７０から径方向にオフセットしている。このことは、図２８に示されている。ユーザがノブ２４６を操作することにより、シェーディングスクリーン１５４ｄが回転すると、露出フレーム１３２及び結果としてフィルム上に取り込まれる潜像における別の部分がクリッピングされる。図２７に示されたフィルムにおける左から右への４つの現像済フレームは、それぞれ、図２８乃至図３１に示されたシェーディングスクリーン１５４ｄの部分に対応している。シェーディングは、ハッチング領域２５６により示されている。それぞれのデジタル補正は、変更なし、第１の擬似ズーム、擬似パノラマ、及び第２の別の擬似ズームである。これら特定の補正及びそれぞれのシェーディングスクリーン位置では、シェーディングスクリーン１５４ｄは、最終イメージに影響することなく、不透明であってもよく、フィルタ処理がなされるものであってもよい。
【０１４０】
　図２８に示された第１の位置は、スクリーナ２２６が第１の位置と第２の位置との間を移動する場合に、スクリーナ２２６の回転軸を、光軸１４０に対して位置決めされた位置からオフセット位置へと移動させることにより得られる。例えば、図２８乃至図３１のスクリーナ２２６及びガイド２０２は、露出フレーム１３２と平行な平面内で平行移動するように、取り付けられてもよい。その場合、シェーディングが必要であれば、シェーディングスクリーン１５４は露出フレーム１３２上で中心が位置決めされてもよく、シェーディングが必要でなければ離反されてもよい。
【０１４１】
　但し、スクリーナ２２６の回転軸は、カメラ内の所定の位置に決められていることが望ましい。その場合、スクリーナ２２６の回転軸は、光軸１４０と平行にオフセットしている。シェーディング部分のサイズは、第１の位置においてシェーディング部分が露出開口１７０から離隔するようになっていてもよく、また露出開口１７０及び露出フレーム１３２の両者から離隔するようになっていてもよい。
【０１４２】
　図３２乃至図３３を参照すると、カメラ１２は、独立して動作可能であるか、あるいは、光軸１４０を基準として連携して動作可能な２つのスクリーナ２２６を有していてもよい。図３２に、共通のスクリーナドライバ２３８により連動する２つのスクリーナ２２６を示す。図３３に、各々が独立したスクリーナドライバ２３８により動作する２つのスクリーナ２２６を示す。前側スクリーナ２２６ａ及び後側スクリーナ２２６ｂは、いずれも、共通の回転軸に対して位置決めされている。スクリーナ２２６は、重複しないように構成されてもよい。図３２に、前側スクリーナ２２６ａよりも径方向に大きい後側スクリーナ２２６ｂを示す。後側スクリーナ２２６ｂのシェーディングスクリーン１５４ｄは、この結果がもたらされるように、径方向に範囲制限されていてもよい。また、シェーディングスクリーン１５４ｄは、２つのシェーディングスクリーン１５４ｄが重複しないように、角度の大きさ及び／又は回転についても制限されていてもよい。その代わりに、図３３に示されるように、２つのシェーディングスクリーン１５４ｄのシェーディング部分は、両者の効果が各シェーディングスクリーン１５４ｄの異なった部分の全て又は少なくとも一部で識別可能であるように整合するように選択されてもよい。例えば、あるシェーディング部分が赤のフィルタであって、他の部分が青のフィルタであってもよい。
【０１４３】
　図３９乃至図４１に、他のカメラを示す。この場合、スクリーナ１５３は、支持構造１５５により保持された１つのシェーディングスクリーン１５４を有する。シェーディングスクリーン１５３は、フィルタと同様に、撮影レンズ１００の外側に配置されている。シェーディングスクリーン１５４は、透明又は孔の開いた中央領域と、不透明又はフィルタ処理をする外側領域２５８とを有する。支持構造１５５には、ノーズ２６２又はカメラのレンズ鏡胴（図示せず）と重複したカウル２６０が含まれている。カウル（ｃｏｗｌ）２６０は、該カウル２６０及びシェーディングスクリーン１５４を光軸１４０に沿って内側及び外側へ動作させる駆動部２６４に対して接合されている。その動作は、回転することなく軸方向にのみであってもよく、あるいは、シェーディングスクリーン１５３が、軸方向及び光軸を中心とした回転方向の双方に動作可能であってもよい。図示された実施形態では、カウル２６０の非回転部分２６５及びノーズ２６２、又はキー及びキー溝（図示せず）が、動作中にスクリーナ１５３が回転しないようにしている。
【０１４４】
　第１の位置では、図３９に示されるように、シェーディングスクリーンは、撮影レンズ１００の光路から離隔している。図４０に、シェーディングが存在するスクリーナの他の部分を示す。別のシェーディング位置が、移動止めにより、あるいは単にカメラ本体７４のシェル７６に対してカウル２６０にマークされた位置（図示せず）により、与えられてもよい。支持構造１５５の駆動部２６４は、カウル２６０及びシェーディングスクリーン１５３を動作させるようになっている。図示された実施形態では、ノーズ２６２及びカウル２６０は、円筒状である。また、駆動部２６４も円筒状であり、カウル２６０及び駆動部２６４は、ノーズ２６２の外周面に密接している。駆動部２６４は、本体７４の内部にある。カウル２６０は、シェーディングスクリーン１５３の位置に応じて、それぞれの長さに外方へ突出している。駆動部２６４は、駆動シリンダ２７０のカム２６８を受容する溝２６６を有する。駆動シリンダ２７０は、駆動部２６４を取り巻いており、カメラフレーム７８とフロントカバー８０との間に閉じ込められている。駆動シリンダ２７０は、フロントカバー８０における三日月型の開口２７４を貫いて突出したノブ２７２を有する。ユーザが開口２７４内でノブ２７２を回動させると、カム２６８は、駆動部２６４に力を加えて、駆動部２６４を直線的にカメラ外へと移動させる。
【０１４５】
　スクリーナ１５３は、他の方法で動作するように変更されてもよい。例えば、シェーディングスクリーン１５４が本体７４に対して回転及び軸方向動作可能となるように、逆ネジの山（図示せず）が用いられてもよい。同様に、スクリーナ１５３は、ノーズ２６２又は本体７４他の部分に接してスライドする単純なチューブ状の支持構造１５５を有していてもよい。
【０１４６】
　特定の実施形態では、フォトフィニッシングユニットは、キオスク、又はユーザディスプレイを有する他の現像ユニットである。この場合、フォトフィニッシングユニットは、フィルムユニットがデジタル化された後に、手動又は自動で、フィルタ効果又は符号パターン又は両者を検出可能である。手動の検出は、選択されたデジタルイメージに限定されうる。フィルタ効果又は符号パターンが検出されると、フォトフィニッシングユニットは、予め割り当てられたデジタル補正、又は予め割り当てられたデジタル補正を含む全てのデジタル補正を表示可能である。後者の場合、予め割り当てられたデジタル補正が、ハイライトされるか、あるいは、別の方法でユーザに対して明らかにされる。そして、フォトフィニッシングユニットは、ユーザの入力を、予め設定されたボタン等により受付可能であり、予め割り当てられたデジタル補正を受け入れるか、あるいは拒絶するか、そして、オプションとしては、他の補正の一つを指定することになる。
〔本発明の実施形態〕
　１．写真方法であって、取込済のイメージの組が部分シェーディング符号を有する符号化された取込済のイメージを含むことを決定し、前記部分シェーディング符号は所定のエッジパターンを有し、前記部分シェーディング符号は前記イメージにおける所定のサブエリア内に配置される、
　複数の画素を有するデジタルイメージを提供するために前記の符号化された取込済のイメージをデジタル化し、
　複数のテンプレート配置メトリックを提供するために前記エッジパターンの複数の画素テンプレート及び前記デジタルイメージの前記サブエリア内の前記画素を畳込んで、前記各画素テンプレートは同一の形状を有し、前記各画素テンプレートは前記サブエリア内にそれぞれ異なるように配置される、
　前記テンプレート配置メトリックの最高値と前記エッジパターンにおける所定の閾値テンプレート配置メトリック値とを比較する、
ステップを有することを特徴とする写真方法。
【０１４７】
　２．前記テンプレート配置メトリックの最高値が前記閾値テンプレート配置メトリック値と一致した場合、前記デジタルイメージを予め選択されたデジタル補正でデジタル補正することを、さらに有する項１に記載の方法。
【０１４８】
　３．前記デジタル補正に引き続き、前記デジタルイメージから最終イメージをプリントすることを、さらに有する項２に記載の方法。
【０１４９】
　４．前記テンプレート配置メトリックの最高値が前記閾値テンプレート配置メトリック値と一致しない場合、前記デジタルイメージを再現イメージとして保持することを、さらに有する項２に記載の方法。
【０１５０】
　５．前記デジタル補正は、前記デジタルイメージをカラーからモノクロへと変換するものである項２に記載の方法。
【０１５１】
　６．前記画素テンプレートは、相互に回転される項１に記載の方法。
【０１５２】
　７．前記テンプレート配置メトリックの最高値が前記閾値テンプレート配置メトリック値と一致した場合、前記サブエリア内のフィルタ効果を検出し、
　前記エッジパターンに応じて、前記フィルタ効果に対して予め割り当てられたデジタル補正で、前記デジタルイメージをデジタル補正する、
ステップをさらに有する項１に記載の方法。
【０１５３】
　８．前記検出ステップは、前記サブエリアにおける前記画素の少なくともいくつかのカラー値を自動的に解析することを、さらに有する項７に記載の方法。
【０１５４】
　９．前記解析ステップは、前記デジタルイメージを、各画素について少なくとも１つの輝度画素値及び少なくとも２つのクロミナンス画素値を有する輝度−クロミナンス再現へと変換し、前記クロミナンス画素値から予測クロミナンスパラメータを算出し、前記予測クロミナンスパラメータと所定のフィルタ効果の基準クロミナンスパラメータとを比較する、ステップをさらに有する項８に記載の方法。
【０１５５】
　１０．前記基準クロミナンスパラメータは、前記クロミナンス画素値の相加平均である項９に記載の方法。
【０１５６】
　１１．前記基準クロミナンスパラメータは、最高輝度の輝度画素値を有する前記イメージの画素の１つのクロミナンス画素値の相加平均である項９に記載の方法。
【０１５７】
　１２．前記比較は前記予測クロミナンスパラメータと第１及び第２の前記予測クロミナンスパラメータとを比較するものであり、前記第１の予測クロミナンスパラメータは前記クロミナンス画素値の相加平均として算出されるものであり、前記第２の予測クロミナンスパラメータは最高輝度の輝度画素値を有する前記イメージの画素の個々のものに対応した前記クロミナンス画素値の相加平均として算出されるものである項９に記載の方法。
【０１５８】
　１３．前記解析ステップは、前記画素のサンプリングのカラー配置を前記カラーキャストの基準カラー配置と比較し、前記サンプリングの前記画素が前記基準カラー配置と一致した場合、前記デジタルイメージを前記フィルタ効果を有するものとして示す、ステップをさらに有する項７に記載の方法。
【０１５９】
　１４．各前記画素の前記カラー値は独立したＲＧＢ画素値であり、前記比較は、前記各ＲＧＢ画素値を所定のＲＧＢ基準値と関連づけることをさらに有する項１３に記載の方法。
【０１６０】
　１５．前記検出ステップは、前記電子イメージをオペレータに表示し、前記フィルタ効果を指定するオペレータの入力を受け付けることとを、さらに有する項７に記載の方法。
【０１６１】
　１６．前記決定ステップは、識別子を読み取ることをさらに有する項１に記載の方法。
【０１６２】
　１７．前記識別子は、カートリッジＩＤである項１に記載の方法。
【０１６３】
　１８．写真方法であって、取込済のイメージの組が所定の部分シェーディング符号の組の任意の１つを有する１つ以上のイメージを含むことを決定し、各前記部分シェーディング符号は所定のエッジパターンを有し、前記部分シェーディング符号は前記イメージにおける所定のサブエリア内に配置され、
　複数の画素を有するデジタルイメージを提供するために前記の取込済のイメージをデジタル化し、
　複数のテンプレート配置メトリックを提供するために第１の前記部分シェーディング符号の前記エッジパターンの複数の画素テンプレート及び第１の前記デジタルイメージ前記サブエリア内の前記画素を畳込んで、前記各画素テンプレートは同一の形状を有し、各前記画素テンプレートは前記サブエリア内にそれぞれ異なるように配置され、
　前記テンプレート配置メトリックの最高値と前記エッジパターンにおける所定の閾値テンプレート配置メトリック値とを比較する、
ステップを有することを特徴とする写真方法。
【０１６４】
　１９．第１の前記部分シェーディング符号のところで、前記部分シェーディング符号の他のものについて、前記畳込むステップ及び前記比較ステップを繰り返すことを、さらに有する項１８に記載の方法。
【０１６５】
　２０．前記比較ステップの１つの前記最高のテンプレート配置メトリックがそれぞれの前記閾値テンプレート配置メトリック値と一致するまで、前記の繰り返しを継続することを、さらに有する項１９に記載の方法。
【０１６６】
　２１．前記最高のテンプレート配置メトリックがそれぞれの前記閾値テンプレート配置メトリック値と一致した場合、前記デジタルイメージをぞれぞれの前記部分シェーディング符号に対して予め割り当てられたデジタル補正で前記デジタルイメージをデジタル補正することを、さらに有する項２０に記載の方法。
【０１６７】
　２２．前記デジタル補正に引き続き、前記デジタルイメージから最終イメージをプリントすることを、さらに有する項２１に記載の方法。
【０１６８】
　２３．前記テンプレート配置メトリックの最高値全てがそれぞれの前記閾値テンプレート配置メトリック値と一致しない場合、前記デジタルイメージを再現イメージとして保持することを、さらに有する項２１に記載の方法。
【０１６９】
　２４．前記取込済のイメージの残りについて、前記の畳込むステップ、比較ステップ、繰り返すステップ、継続ステップ、デジタル補正ステップ及び保持ステップを繰り返すことを、さらに有する項２３に記載の方法。
【０１７０】
　２５．前記デジタル化に引き続き前記デジタルイメージの１つ以上を表示し、前記デジタル補正の１つ以上を特定する印を表示し、前記第１の前記部分シェーディング符号及び前記第１の前記デジタルイメージを指定するユーザの入力を受け付ける、ステップをさらに有する項１８に記載の方法。
【０１７１】
　２６．前記畳込むステップ及び比較するステップに引き続き、前記エッジパターンに対して予め割り当てられた前記デジタル補正の前記１つを特定することを、さらに有する項２５に記載の方法。
【０１７２】
　２７．フォトフィニッシングユニットであって、一連のデジタルイメージを提供するためにフィルムユニット群のフィルムストリップ上の一連の取込済のイメージをデジタル化するデジタイザと、
　前記電子イメージを受けデジタル実行エンジンであって、前記デジタル実行エンジンは、前記シェーディングパターンが付けられた光像に対応した前記デジタルイメージを、前記シェーディングスクリーンの第２の位置に対して予め割り当てられた補正に応じて、自動的にデジタル処理することを含むデジタル実行エンジンと、
を有することを特徴とするフォトフィニッシングユニット。
【０１７３】
　２８．各前記デジタルイメージは複数の画素を有し、前記デジタル処理は、テンプレート配置メトリックの１つ以上の組を提供するために画素テンプレートの組の１つ以上の画素テンプレート及び前記デジタルイメージの前記サブエリア内の前記画素を畳込んで、前記の画素テンプレートの各組はそれぞれのエッジパターンと関連づけられ、それぞれの前記組における各前記画素テンプレートは同一の形状を有し、それぞれの前記組における各前記画素テンプレートは前記サブエリア内にそれぞれ異なるように配置され、前記各組の前記テンプレート配置メトリックの最高値とそれぞれの前記エッジパターンにおける所定の閾値テンプレート配置メトリック値とを比較し、前記テンプレート配置メトリックの最高値がそれぞれの前記閾値テンプレート配置メトリック値と一致した場合、それぞれの前記デジタルイメージをそれぞれのエッジパターンに対して予め割り当てられたデジタル補正でデジタル補正する、ステップをさらに有する項２７に記載のフォトフィニッシングユニット。
【０１７４】
　２９．写真システムであって、
　複数のカメラと、その各々が、
　　本体と、
　　露出開口を取り巻く露出フレームを有するフィルムホルダと、
　　前記本体に装着され、光軸を有し、場面のイメージを前記露出開口を通じて伝達する撮影レンズ系と、
　　使用位置にて、前記露出フレームを部分的にシェーディングするシェーディングスクリーンと、
　　前記フィルムホルダ内に着脱可能に配置され、複数の潜像を有し、前記潜像の少なくとも１つが前記シェーディングに応じた符号パターンを有するフィルムユニットとを含み
　フォトフィニッシングユニットと、それが、
　　前記保存用のイメージから一連のデジタルイメージを提供し且つ前記電子イメージを送出するために前記フィルムストリップをディジタル化するデジタイザと、
　　前記電子イメージを受け、前記符号パターンの存在を決定し且つ前記符号パターンに対して予め割り当てられた補正に応じて前記符号パターンを有する前記光像を変更するために前記デジタルイメージを自動的にデジタル処理するデジタル実行エンジンとを含み
を有することを特徴とする写真システム。
【０１７５】
　３０．各前記デジタルイメージは複数の画素を有し、前記デジタル処理は、テンプレート配置メトリックの１つ以上の組を提供するために画素テンプレートの組の１つ以上の画素テンプレート及び前記デジタルイメージの前記サブエリア内の前記画素を畳込んで、前記画素テンプレートの各組はそれぞれのエッジパターンと関連づけられ、それぞれの前記組における各前記画素テンプレートは同一の形状を有し、それぞれの前記組における各前記画素テンプレートは前記サブエリア内にそれぞれ異なるように配置され、前記各組の前記テンプレート配置メトリックの最高値とそれぞれの前記エッジパターンにおける所定の閾値テンプレート配置メトリック値とを比較し、前記テンプレート配置メトリックの最高値がそれぞれの前記閾値テンプレート配置メトリック値と一致した場合、それぞれの前記デジタルイメージをそれぞれのエッジパターンに対して予め割り当てられたデジタル補正でデジタル補正する、ステップをさらに有する項２９に記載のシステム。
【図面の簡単な説明】
【０１７６】
【図１】フィルタ符号化されたイメージについての処理が示されている、本方法に係わる一実施形態の概略図である。
【図２】図１の方法による非フィルタ処理イメージの処理の概略図である。
【図３】図１の方法の変形例を用いたフィルタ符号化されたイメージの処理の概略図である。
【図４】写真撮影システムの一実施形態の概略図である。
【図５】カメラのそれ以外の部分から取り外されたフィルタが示されている、図４のシステムで使用可能なカメラの正面斜視図である。
【図６】図５のカメラの分解組立斜視図である。
【図７】フィルタが実線で示され、フィルタの代替位置が破線で示されている、撮影レンズの光路に沿った図５のカメラの変形例の部分断面図である。
【図８】切換可能な符号フィルタを有するカメラの斜視図である。
【図９】カメラの他の実施形態における符号フィルタ処理された露出開口の概略図である。
【図１０】カメラのさらに別の実施形態における符号フィルタ処理された露出開口の概略図である。
【図１１】第１及び第２のスクリーナが所定の位置に示されている、シェーディングされたアウトライン符号を有するカメラの一実施形態の概略図である。
【図１２】第１及び第２のスクリーナが所定の位置に示されている、シェーディングされたアウトライン符号を有するカメラの一実施形態の概略図である。
【図１３】第１及び第２のスクリーナが所定の位置に示されている、シェーディングされたアウトライン符号を有するカメラの一実施形態の概略図である。
【図１４】第１及び第２のスクリーナが所定の位置に示されている、シェーディングされたアウトライン符号を有するカメラの一実施形態の概略図である。
【図１５】図１１乃至図１４のカメラの変形例の概略図である。
【図１６】図１５のカメラの部分平面図であり、制御ノブを示す図である。
【図１７】図１５のカメラのスクリーナの側面図である。
【図１８】図１５のカメラのファインダマスクの側面図である。
【図１９】カメラの他の実施形態のシェーディングされたアウトライン符号の露出開口の概略図である。
【図２０】図１９とは別々のシェーディングスクリーン配置になっている、カメラの他の実施形態のシェーディングされたアウトライン符号の露出開口の概略図である。
【図２１】カメラの他の実施形態の同様の図である。
【図２２】カメラの他の実施形態の同様の図である。
【図２３】カメラのさらに別の実施形態の同様の図である。
【図２４】カメラのさらに別の実施形態の同様の図である。
【図２５】図６と同様の図における図６のカメラの変形例のいくつかの部品の斜視図である。
【図２６】実線はファインダ及びファインダスクリーナの位置を示し、破線は露出フレーム、スクリーナ及びスクリーンドライバの一部を示している、図２５のカメラの後面の概略図である。
【図２７】４つのフィルムフレームが示され、後の３つにはそれぞれ異なるようにシェーディングされたアウトライン符号がある、図２４のカメラからの現像済のフィルムストリップの概略図である。
【図２８】図２５及び２６のカメラの後面概略図であり、図２７に示された４つのフィルムフレーム（左から右へ）に対応した４つの異なる配置での第２のスクリーナを示している図である（理解しやすいように、カメラの特徴のほとんどは、ファインダスクリーナも含めて、図示されていない）。
【図２９】図２５及び２６のカメラの後面概略図であり、図２７に示された４つのフィルムフレーム（左から右へ）に対応した４つの異なる配置での第２のスクリーナを示している図である（理解しやすいように、カメラの特徴のほとんどは、ファインダスクリーナも含めて、図示されていない）。
【図３０】図２５及び２６のカメラの後面概略図であり、図２７に示された４つのフィルムフレーム（左から右へ）に対応した４つの異なる配置での第２のスクリーナを示している図である（理解しやすいように、カメラの特徴のほとんどは、ファインダスクリーナも含めて、図示されていない）。
【図３１】図２５及び２６のカメラの後面概略図であり、図２７に示された４つのフィルムフレーム（左から右へ）に対応した４つの異なる配置での第２のスクリーナを示している図である（理解しやすいように、カメラの特徴のほとんどは、ファインダスクリーナも含めて、図示されていない）。
【図３２】両スクリーナが図示されている、図２８乃至図３１のカメラの概略断面図である。
【図３３】第１のスクリーナは図示されていない、変形例のカメラにおける図３２と同様の図である。
【図３４】図２８乃至図３１のカメラの変形例の後面概略図である。
【図３５】図３４のカメラの概略断面図である。
【図３６】符号フィルタを用いずに撮影されたクロミナンス画素データについてのクロミナンス空間を示すグラフである。画素データは、任意の自然の景色である。
【図３７】図３６と同じ場面について、選択されたカラー符号フィルタを伴って撮影されたクロミナンス画素データについてのクロミナンス空間を示すグラフである。
【図３８】図３７のカラー符号フィルタについて算出されたカラー配置を表したクロミナンス空間を示すグラフである。
【図３９】撮影レンズの光路から離隔した第１の位置にあるシェーディングスクリーンが示されている、カメラの他の実施形態の概略断面図である。
【図４０】シェーディングスクリーンは、撮影レンズを通じて伝播する光像を部分的にシェーディングする第２の位置にある、図３９と同様の図である。
【図４１】図３９のカメラの斜視図である。
【符号の説明】
【０１７７】
１２…カメラ
１４…フィルムユニット
１６…符号フィルタ
２３…デジタル実行エンジン
７０…フィルムホルダ
７４…本体
１００…撮影レンズ系
１５４…シューディングスクリーン
【図１】
2004135349.tif 000007
【図２】
2004135349.tif 000008
【図３】
2004135349.tif 000009
【図４】
2004135349.tif 000010
【図５】
2004135349.tif 000011
【図６】
2004135349.tif 000012
【図７】
2004135349.tif 000013
【図８】
2004135349.tif 000014
【図９】
2004135349.tif 000015
【図１０】
2004135349.tif 000016
【図１１】
2004135349.tif 000017
【図１２】
2004135349.tif 000018
【図１３】
2004135349.tif 000019
【図１４】
2004135349.tif 000020
【図１５】
2004135349.tif 000021
【図１６】
2004135349.tif 000022
【図１７】
2004135349.tif 000023
【図１８】
2004135349.tif 000024
【図１９】
2004135349.tif 000025
【図２０】
2004135349.tif 000026
【図２１】
2004135349.tif 000027
【図２２】
2004135349.tif 000028
【図２３】
2004135349.tif 000029
【図２４】
2004135349.tif 000030
【図２５】
2004135349.tif 000031
【図２６】
2004135349.tif 000032
【図２７】
2004135349.tif 000033
【図２８】
2004135349.tif 000034
【図２９】
2004135349.tif 000035
【図３０】
2004135349.tif 000036
【図３１】
2004135349.tif 000037
【図３２】
2004135349.tif 000038
【図３３】
2004135349.tif 000039
【図３４】
2004135349.tif 000040
【図３５】
2004135349.tif 000041
【図３６】
2004135349.tif 000042
【図３７】
2004135349.tif 000043
【図３８】
2004135349.tif 000044
【図３９】
2004135349.tif 000045
【図４０】
2004135349.tif 000046
【図４１】
2004135349.tif 000047